(57)【要約】  ポリシーおよび課金ルール機能（ＰＣＲＦ）制御方法は、データ接続に対応するポリシー・コントロール・セッションについての情報を取得し、ポリシー・コントロール・セッションについての該情報はポリシー・コントロール・セッションの解除についての情報もしくはポリシー・コントロール・セッションのセットアップについての結果情報を含み、データ接続に対応するポリシー・コントロール・セッションについての情報にしたがってデータ接続とＰＣＲＦとの間のマッピング関係を制御する、ことを含む。制御ネットワーク・エレメントは、データ接続に対応するポリシー・コントロール・セッションについての情報を取得するために適応されているポリシー・コントロール・セッション情報取得ユニットと、ポリシー・コントロール・セッションについての該情報は、ポリシー・コントロール・セッションの解除についての情報もしくはポリシー・コントロール・セッションのセットアップについての結果情報を含み、データ接続に対応するポリシー・コントロール・セッションについての情報にしたがってデータ接続とＰＣＲＦとの間のマッピング関係を制御するために適応されているマッピング・ユニットと、を含む。
2011502388.tif 000002
【特許請求の範囲】
【請求項１】
データ接続に対応するポリシー・コントロール・セッションについての情報を取得し、
前記ポリシー・コントロール・セッションについての情報はポリシー・コントロール・セッションの解除についての情報もしくはポリシー・コントロール・セッションのセットアップの結果についての情報を含み、
前記データ接続に対応するポリシー・コントロール・セッションについての情報にしたがってデータ接続とポリシーおよび課金ルール機能（ＰＣＲＦ）との間のマッピング関係を制御する、
ポリシーおよび課金ルール機能制御方法。
【請求項２】
前記データ接続に対応するポリシー・コントロール・セッションについての情報を取得する前に、
ネットワーク・ノードによって、前記データ接続に対応するポリシー・コントロール・セッションの解除が成功したか否かについてチェックし、前記データ接続に対応するポリシー・コントロール・セッションの解除が成功した場合、ポリシー・コントロール・セッションの解除についての情報を制御ネットワーク・エレメントに送信し、
前記データ接続に対応するポリシー・コントロール・セッションについての情報が、
前記制御ネットワーク・エレメントがポリシー・コントロール・セッションの解除についての情報を受信する、
ことによって取得される、
ことをさらに含む、
請求項１に記載のポリシーおよび課金ルール機能制御方法。
【請求項３】
前記ネットワーク・ノードは中継ノードであり、
前記ネットワーク・ノードは、
前記中継ノードが、
前記データ接続に対応するポリシー・コントロール・セッションの解除が成功したか否かについての情報を受信し、
前記情報は、前記データ接続を提供するポリシーおよび課金ルール機能によって、もしくは、クライアントによって、送信され、
前記データ接続に対応するポリシー・コントロール・セッションの解除が成功したか否かチェックする、
ことによって、前記データ接続に対応するポリシー・コントロール・セッションの解除が成功したか否かチェックする、
請求項２に記載のポリシーおよび課金ルール機能制御方法。
【請求項４】
前記ネットワーク・ノードはクライアントであり、
前記ネットワーク・ノードは、
前記クライアントが、
前記データ接続に対応するポリシー・コントロール・セッションの解除が成功したか否かについての情報を受信し、
前記情報は前記データ接続を提供するポリシーおよび課金ルール機能によって送信され、
前記データ接続に対応するポリシー・コントロール・セッションの解除が成功したか否かについてチェックする、
ことによって、
もしくは、
前記クライアントが、
前記データ接続に対応するポリシー・コントロール・セッションの解除のリクエストを、該データ接続を提供するポリシーおよび課金ルール機能から受信し、
前記データ接続に対応するポリシー・コントロール・セッションを処理し、
処理結果にしたがって、前記データ接続に対応するポリシー・コントロール・セッションの解除が成功したか否かをチェックする、
ことによって、
前記データ接続に対応するポリシー・コントロール・セッションの解除が成功したか否かについてチェックする、
請求項２に記載のポリシーおよび課金ルール機能制御方法。
【請求項５】
前記ネットワーク・ノードは、前記データ接続を提供するポリシーおよび課金ルール機能であり、
前記ネットワーク・ノードは、
前記データ接続を提供するポリシーおよび課金ルール機能が、
前記データ接続に対応するポリシー・コントロール・セッションの解除のリクエストをクライアントに送信し、
前記データ接続に対応するポリシー・コントロール・セッションの解除が成功したか否かについての情報を前記クライアントから受信し、
前記データ接続に対応するポリシー・コントロール・セッションの解除が成功したか否かをチェックする、
ことによって、
もしくは、
前記データ接続を提供するポリシーおよび課金ルール機能が、
該データ接続に対応するポリシー・コントロール・セッションの解除のリクエストを前記クライアントから受信し、
前記データ接続に対応するポリシー・コントロール・セッションを処理し、
処理結果にしたがって、前記データ接続に対応するポリシー・コントロール・セッションの解除が成功したか否かチェックする、
ことによって、
前記データ接続に対応するポリシー・コントロール・セッションの解除が成功したか否かチェックする、
請求項２に記載のポリシーおよび課金ルール機能制御方法。
【請求項６】
前記データ接続に対応するポリシー・コントロール・セッションの解除についての情報は、
制御ネットワーク・エレメントが前記ポリシー・コントロール・セッションの解除が成功したか否かについての情報を受信し、
前記情報は、前記データ接続を提供するポリシーおよび課金ルール機能、クライアント、もしくは、中継ノードによって送信される、
ことによって、取得される、
請求項１に記載のポリシーおよび課金ルール機能制御方法。
【請求項７】
前記データ接続とポリシーおよび課金ルール機能との間のマッピング関係は、
前記ポリシー・コントロール・セッションの解除についての情報が、該ポリシー・コントロール・セッションの解除を示す場合、前記データ接続と該データ接続を提供するポリシーおよび課金ルール機能との間の予め記憶されているマッピング関係を削除する、
ことによって、制御される、
請求項１に記載のポリシーおよび課金ルール機能制御方法。
【請求項８】
前記データ接続に対応するポリシー・コントロール・セッションについての情報を取得する前に、
ユーザが利用可能なポリシーおよび課金ルール機能についての情報を取得し、前記データ接続に対応するポリシー・コントロール・セッションをセットアップすることを必要とするネットワーク・ノードに該情報を送信し、
前記データ接続に対応するポリシー・コントロール・セッションについての情報は、
前記データ接続に対応するポリシー・コントロール・セッションのセットアップの結果についての情報を前記ネットワーク・ノードもしくは利用可能なポリシーおよび課金ルール機能から受信する、
ことによって、取得される、
ことをさらに含む、
請求項１に記載のポリシーおよび課金ルール機能制御方法。
【請求項９】
前記ポリシーおよび課金ルール機能についての情報は複数のポリシーおよび課金ルール機能についての情報であり、
前記データ接続に対応するポリシー・コントロール・セッションのセットアップの結果についての情報をネットワーク・ノードから受信する前に、
（Ａ１）前記利用可能なポリシーおよび課金ルール機能の一つを選択し、前記データ接続に対応するポリシー・コントロール・セッションのセットアップのリクエストを選択したポリシーおよび課金ルール機能に送信し、
（Ｂ１）前記データ接続に対応するポリシー・コントロール・セッションのセットアップが成功したか否かについての情報を選択したポリシーおよび課金ルール機能から受信し、
前記データ接続に対応するポリシー・コントロール・セッションの選択したポリシーおよび課金ルール機能とのセットアップが失敗した場合、Ａ１に戻り、
前記データ接続に対応するポリシー・コントロール・セッションの選択したポリシーおよび課金ルール機能とのセットアップが成功した場合、前記データ接続に対応するポリシー・コントロール・セッションのセットアップの結果についての情報を制御ネットワーク・エレメントに送信し、
前記ポリシー・コントロール・セッションのセットアップの結果についての情報が、前記ポリシー・コントロール・セッションのセットアップが成功したポリシーおよび課金ルール機能と前記データ接続との間のマッピング関係を搬送し、
前記制御ネットワーク・エレメントが、前記データ接続に対応するポリシー・コントロール・セッションのセットアップの結果についての情報を前記ネットワーク・ノードから受信するステップに進む、
ことをさらに含む、
請求項８に記載のポリシーおよび課金ルール機能制御方法。
【請求項１０】
ポリシーおよび課金ルール機能についての情報は複数のポリシーおよび課金ルール機能についての情報であり、
前記データ接続に対応するポリシー・コントロール・セッションのセットアップの結果についての情報を利用可能なポリシーおよび課金ルール機能から受信する前に、
（Ａ２）ネットワーク・ノードによって、利用可能なポリシーおよび課金ルール機能の一つを選択し、
前記データ接続に対応するポリシー・コントロール・セッションのセットアップのリクエストを選択されたポリシーおよび課金ルール機能に送信し、
（Ｂ２）前記選択されたポリシーおよび課金ルール機能によって、前記データ接続に対応するポリシー・コントロール・セッションのセットアップが成功したか否かをチェックし、
前記データ接続に対応するポリシー・コントロール・セッションのセットアップが失敗した場合、前記データ接続に対応するポリシー・コントロール・セッションのセットアップの失敗についての情報をネットワーク・ノードに送信し、Ａ２に戻り、
前記データ接続に対応するポリシー・コントロール・セッションのセットアップが成功した場合、前記データ接続に対応するポリシー・コントロール・セッションのセットアップの結果についての情報を制御ネットワーク・エレメントに送信し、
前記情報は、前記データ接続とポリシーおよび課金ルール機能との間のマッピング関係を搬送し、
前記制御ネットワーク・エレメントが、前記データ接続に対応するポリシー・コントロール・セッションのセットアップの結果についての情報を受信するステップに進む、
ことをさらに含む、
請求項８に記載のポリシーおよび課金ルール機能制御方法。
【請求項１１】
前記データ接続とポリシーおよび課金ルール機能との間のマッピング関係は、
前記ポリシー・コントロール・セッションのセットアップが成功したポリシーおよび課金ルール機能と前記データ接続との間のマッピング関係を、前記ポリシー・コントロール・セッションのセットアップの結果についての情報から取得し、
前記マッピング関係を記憶する、
ことによって、制御される、
請求項９または１０に記載のポリシーおよび課金ルール機能制御方法。
【請求項１２】
前記ポリシー・コントロール・セッションのセットアップが失敗したポリシーおよび課金ルール機能についての情報を前記制御ネットワーク・エレメントに送信し、
前記制御ネットワーク・エレメントによって、前記ポリシー・コントロール・セッションのセットアップが失敗したポリシーおよび課金ルール機能を所定期間の間利用不能として設定する、
請求項９または１０に記載のポリシーおよび課金ルール機能制御方法。
【請求項１３】
前記ポリシーおよび課金ルール機能についての情報は一つのポリシーおよび課金ルール機能についての情報であり、
前記データ接続とポリシーおよび課金ルール機能との間のマッピング関係は、
前記データ接続に対応するポリシー・コントロール・セッションのセットアップの結果についての情報がポリシーおよび課金ルール機能とのポリシー・コントロール・セッションのセットアップの失敗を示す場合、前記データ接続とポリシーおよび課金ルール機能との間の予め記憶されているマッピング関係を削除する、
ことによって、制御される、
請求項８に記載のポリシーおよび課金ルール機能制御方法。
【請求項１４】
ポリシーおよび課金ルール機能を再び選択する指示を受信した後、
ユーザに利用可能なポリシーおよび課金ルール機能についての情報を再び取得し、
前記ネットワーク・ノードに前記情報を送信し、
もしくは、
前記データ接続に対応するポリシー・コントロール・セッションのセットアップのリクエストを再び取得したポリシーおよび課金ルール機能に送信し、
前記データ接続と再び取得したポリシーおよび課金ルール機能との間のマッピング関係を記憶する、
ことをさらに含む、
請求項１３に記載のポリシーおよび課金ルール機能制御方法。
【請求項１５】
前記データ接続に対応するポリシー・コントロール・セッションのセットアップの結果についての情報がポリシーおよび課金ルール機能とのポリシー・コントロール・セッションのセットアップの失敗を示す場合、
前記ポリシー・コントロール・セッションのセットアップに失敗したポリシーおよび課金ルール機能を所定の期間の間利用不能として設定する、
請求項１３または１４に記載のポリシーおよび課金ルール機能制御方法。
【請求項１６】
前記データ接続に対応するポリシー・コントロール・セッションのセットアップの結果についての情報が該データ接続に対応するポリシー・コントロール・セッションのセットアップの失敗についての情報であり、
前記データ接続とポリシーおよび課金ルール機能との間のマッピング関係は、
前記データ接続と該データ接続を提供するポリシーおよび課金ルール機能との間の予め記憶されているマッピング関係を削除する、
ことによって、制御される、
請求項１に記載のポリシーおよび課金ルール機能制御方法。
【請求項１７】
データ接続に対応するポリシー・コントロール・セッションについての情報を取得するために適応されているポリシー・コントロール・セッション情報取得ユニットと、
前記データ接続に対応するポリシー・コントロール・セッションについての情報にしたがって、該データ接続とポリシーおよび課金ルール機能（ＰＣＲＦ）との間のマッピング関係を制御するために適応されている制御ユニットと、
を備え、
前記情報は、ポリシー・コントロール・セッションの解除についての情報、もしくは、該ポリシー・コントロール・セッションのセットアップの結果についての情報、を含む、
制御ネットワーク・エレメント。
【請求項１８】
前記制御ユニットは、ポリシー・コントロール・セッションの解除についての前記情報がポリシー・コントロール・セッションの解除を示す場合、前記データ接続と該データ接続を提供するポリシーおよび課金ルール機能との間の予め記憶されているマッピング関係を削除するために適応されている、
請求項１７に記載の制御ネットワーク・エレメント。
【請求項１９】
前記ポリシー・コントロール・セッション情報取得ユニットは、
ユーザが利用可能なポリシーおよび課金ルール機能についての情報を取得するために適応されているポリシーおよび課金ルール機能情報取得ユニットと、
前記データ接続に対応するポリシー・コントロール・セッションをセットアップすることを必要とするネットワーク・ノードに前記ポリシーおよび課金ルール機能についての取得した前記情報を送信するために適応されているポリシーおよび課金ルール機能情報送信ユニットと、
前記データ接続に対応するポリシー・コントロール・セッションのセットアップの結果についての情報を、前記ネットワーク・ノードもしくは利用可能なポリシーおよび課金ルール機能から受信するために適応されているポリシー・コントロール・セッション・セットアップ結果受信ユニットと、
を含み、
前記ネットワーク・ノードはクライアントもしくは中継ノードである、
請求項１７に記載の制御ネットワーク・エレメント。
【請求項２０】
前記制御ユニットは、前記ポリシー・コントロール・セッションのセットアップが成功したポリシーおよび課金ルール機能とデータ接続との間のマッピング関係を、前記ポリシー・コントロール・セッションのセットアップの結果についての情報から取得し、該マッピング関係を記憶するために適応されている記憶ユニットを含む、
請求項１９に記載の制御ネットワーク・エレメント。
【請求項２１】
前記ポリシーおよび課金ルール機能についての情報は一つのポリシーおよび課金ルール機能についての情報であり、
前記制御ユニットは、前記データ接続に対応するポリシー・コントロール・セッションのセットアップの結果についての情報がポリシーおよび課金ルール機能とのポリシー・コントロール・セッションのセットアップの失敗を示す場合、前記データ接続とポリシーおよび課金ルール機能との間の予め記憶されているマッピング関係を削除するために適応されている削除ユニットを含む、
請求項１９に記載の制御ネットワーク・エレメント。
【請求項２２】
前記データ接続に対応するポリシー・コントロール・セッションのセットアップの結果についての情報がポリシーおよび課金ルール機能を再び選択する指示を搬送する場合、前記ユーザが利用可能なポリシーおよび課金ルール機能についての情報を再び取得し、該情報をネットワーク・ノードに送信し、もしくは、前記データ接続に対応するポリシー・コントロール・セッションのセットアップのリクエストを再び取得されたポリシーおよび課金ルール機能に送信する、ために適応されている再選択ユニットをさらに含む、請求項２１に記載の制御ネットワーク・エレメント。
【請求項２３】
前記ポリシー・コントロール・セッションのセットアップに失敗したポリシーおよび課金ルール機能を所定期間の間利用不能として設定する、ために適応されている設定ユニットをさらに含む、請求項２１に記載の制御ネットワーク・エレメント。
【請求項２４】
データ接続に対応するポリシー・コントロール・セッションの解除についての情報を制御ネットワーク・エレメントに送信するために適応されているネットワーク・ノードと、
前記データ接続に対応するポリシー・コントロール・セッションの解除についての情報をネットワーク・ノードから受信し、前記データ接続に対応するポリシー・コントロール・セッションについての受信した情報にしたがって、前記データ接続と該データ接続を提供するポリシーおよび課金ルール機能との間の予め記憶されているマッピング関係を制御する、ために適応されている前記制御ネットワーク・エレメントと、
を含むネットワーク・システム。
【請求項２５】
前記ネットワーク・ノードは前記データ接続に対応するポリシー・コントロール・セッションの解除が成功したか否かについてチェックするためにさらに適応されている、請求項２４に記載のネットワーク・システム。
【請求項２６】
前記ネットワーク・ノードは、中継ノード、クライアント、もしくは、前記データ接続を提供するポリシーおよび課金ルール機能である、請求項２４または請求項２５に記載のネットワーク・システム。
【請求項２７】
前記制御ネットワーク・エレメントは、前記データ接続に対応するポリシー・コントロール・セッションの解除についての情報をネットワーク・ノードから受信し、前記ポリシー・コントロール・セッションの解除についての情報がポリシー・コントロール・セッションの解除を示す場合、前記データ接続と該データ接続を提供するポリシーおよび課金ルール機能との間の予め記憶されているマッピング関係を削除する、ために適応されている、請求項２４または請求項２５に記載のネットワーク・システム。
【請求項２８】
ユーザが利用可能なポリシーおよび課金ルール機能についての情報を取得し、データ接続に対応するポリシー・コントロール・セッションをセットアップすることを必要とするネットワーク・ノードに該情報を送信し、前記データ接続に対応するポリシー・コントロール・セッションのセットアップの結果についての情報をネットワーク・ノードから受信し、前記データ接続に対応するポリシー・コントロール・セッションのセットアップの結果についての情報にしたがって、前記データ接続とポリシーおよび課金ルール機能との間のマッピング関係を制御する、ために適応されている制御ネットワーク・エレメントと、
前記データ接続に対応するポリシー・コントロール・セッションのセットアップのリクエストを利用可能なポリシーおよび課金ルール機能に送信し、前記データ接続に対応するポリシー・コントロール・セッションのセットアップが成功したか否かを示すレスポンスを利用可能なポリシーおよび課金ルール機能から受信し、前記レスポンスにしたがって、前記データ接続に対応するポリシー・コントロール・セッションのセットアップの結果についての情報を制御ネットワーク・エレメントに送信する、ために適応されている前記ネットワーク・ノードと、
を含む、ネットワーク・システム。
【請求項２９】
ユーザに利用可能なポリシーおよび課金ルール機能についての情報を取得し、データ接続に対応するポリシー・コントロール・セッションをセットアップすることを必要とするネットワーク・ノードに該情報を送信し、前記データ接続に対応するポリシー・コントロール・セッションのセットアップの結果についての情報を利用可能なポリシーおよび課金ルール機能から受信し、該データ接続に対応するポリシー・コントロール・セッションのセットアップの結果についての情報にしたがって、該データ接続と利用可能なポリシーおよび課金ルール機能との間のマッピング関係を制御する、ために適応されている制御ネットワーク・エレメントと、
前記データ接続に対応するポリシー・コントロール・セッションのセットアップのリクエストを利用可能なポリシーおよび課金ルール機能に送信する、ために適応されている前記ネットワーク・ノードと、
前記データ接続に対応するポリシー・コントロール・セッションのセットアップのリクエストを受信し、該データ接続に対応するポリシー・コントロール・セッションのセットアップの結果についての情報を前記制御ネットワーク・エレメントに送信する、ように適応されている前記利用可能なポリシーおよび課金ルール機能と、
を含む、ネットワーク・システム。
【発明の詳細な説明】
【技術分野】
【０００１】
本発明は通信技術に関し、詳細には、ポリシーおよび課金ルール機能（ＰＣＲＦ : Policy and Charging Rules Function）制御方法、制御ネットワーク・エレメント、ネットワーク・システムに関する。
【背景技術】
【０００２】
図１に示されるように、ポリシーおよび課金制御（ＰＣＣ : Policy and Charging Control）機能を有するネットワーク・アーキテクチャは、ポリシーおよび課金ルール機能（ＰＣＲＦ）、ポリシーおよび課金施行機能（ＰＣＥＦ : Policy and Charging Enforcement Function）、アプリケーション機能（ＡＦ : Application Function）を含む。ＰＣＲＦは、オペレーション・ポリシーおよびサービス・アプリケーション情報にしたがって、ユーザ・サービス・ストリームのためのクオリティ・オブ・サービス（ＱｏＳ : Quality of Service）および課金ルール（「ＰＣＣルール」）を動的に生成する。ＰＣＥＦはＰＣＣルールを実行するゲートウェイである。ＡＦは、一般的に、サービス制御サーバである。ユーザ・ターミナルは、サービス接続を開始するためにＡＦにアクセスする必要がある。ＡＦはＰＣＲＦにターミナル・サービス情報を提供する。ＰＣＲＦはＰＣＥＦ／ＡＦとダイアメータ・プロトコル(Diameter protocol)を介して通信する。ＰＣＥＦ／ＡＦはクライアントであり、ＰＣＲＦはサーバである。
【０００３】
複数のＰＣＲＦをＰＣＣネットワークに配置することができる。ユーザ・ターミナルがデータ・ネットワークに接続されると、ＰＣＲＦの一つが選択される。ＰＣＲＦが選択された後、データ・ネットワークへのデータ接続が切断されるまで、選択されたＰＣＲＦがデータ接続のＰＣＣサーバとして働く。ネットワークにおける複数のクライアントは同一のデータ接続のためにＰＣＲＦにアクセスする必要がある。したがって、ＰＣＲＦ制御エンティティが、データ接続と該データ接続を提供するＰＣＲＦとの間のマッピング関係を制御するためにＰＣＣネットワークに導入される。該データ接続はユーザとデータ・ネットワークとの間に存在する。クライアントによって送信されるポリシー・コントロール・リクエスト・メッセージのいずれかが宛先ＰＣＲＦ情報を搬送しない場合、ポリシー・コントロール・リクエスト・メッセージはＰＣＲＦ制御エンティティを通過する(pass through)必要がある。ＰＣＲＦ制御エンティティは、データ接続と該データ接続を提供するＰＣＲＦとの間の予め記憶されているマッピング関係にしたがって、宛先ＰＣＲＦ情報を取得し、宛先ＰＣＲＦにポリシー・コントロール・リクエスト・メッセージを送信する。これにより、異なるクライアントが同一のデータ接続のためにサーバを割り当てることを要求する場合に、異なるクライアントがＰＣＣサーバとして同一のＰＣＲＦを確実に使用することになる。
【０００４】
クライアントが最初にＰＣＣサーバとの接続をセットアップする場合、ＰＣＲＦ制御エンティティは利用可能なＰＣＣサーバを選択し、選択したＰＣＣサーバについての情報をクライアントにリターンし、データ接続とＰＣＣサーバとの間のマッピング関係を記録する必要がある。クライアントは、データ接続のセットアップをＰＣＣサーバに指示するために、利用可能なＰＣＣサーバにポリシー・コントロール・リクエスト・メッセージを送信する。実際には、クライアントと割り当てられたＰＣＣサーバとの間のルートはブロックされるかもしれない。この場合、クライアントと割り当てられたＰＣＣサーバとの間のデータ接続のセットアップは失敗する。クライアントが再度ＰＣＣサーバを選択すると、データ接続に対応するポリシー・コントロール・セッションのセットアップはやはり失敗する。これは、ＰＣＲＦ制御エンティティがデータ接続と以前に選択されているＰＣＣサーバとの間のマッピング関係を保持するからである。リターンされるＰＣＣサーバについての情報は、最後に選択されたＰＣＣサーバについての情報のままである。
【０００５】
クライアントとＰＣＣサーバとの間のデータ接続のセットアップが成功した後、一方のパーティ(party)が他方のパーティのホスト・ネームを取得することができる。したがって、ホスト・ネームを介して以降交換される情報をピア・パーティ(peer party)に送ることができる。たとえば、クライアントによってＰＣＣサーバに送信される以降のポリシー・コントロール・リクエスト・メッセージは宛先ＰＣＲＦ情報を搬送する。したがって、宛先ＰＣＲＦ情報についてＰＣＲＦ制御エンティティに問い合せる必要はない。したがって、データ接続が解除されると、データ接続の解除を示すポリシー・コントロール・リクエスト・メッセージは宛先ＰＣＲＦ情報を搬送する。これにより、ポリシー・コントロール・リクエスト・メッセージはＰＣＲＦ制御エンティティを通過しない。ユーザからデータ・ネットワークへのデータ接続が解除された後、ＰＣＲＦ制御エンティティはデータ接続と該データ接続を提供するＰＣＲＦとの間のマッピング関係を保持したままである。ユーザが再度データ・ネットワークにアクセスすると、データ接続のセットアップを示すポリシー・コントロール・リクエスト・メッセージがＰＣＲＦ制御エンティティに送信される。ＰＣＲＦ制御エンティティはデータ接続に対応する予め記憶されているＰＣＲＦ情報をリターンする。クライアントは宛先ＰＣＲＦとして該ＰＣＲＦを使用し、データ接続のセットアップを示すポリシー・リクエスト・メッセージを送信する。しかしながら、該ＰＣＲＦが失敗すると、データ接続に対応するポリシー・コントロール・セッションをセットアップすることはできない。
【発明の概要】
【発明が解決しようとする課題】
【０００６】
最初に、クライアントがＰＣＣサーバに接続された後、ＰＣＲＦ制御エンティティはデータ接続と該データ接続を提供するＰＣＣサーバとの間のマッピング関係を記憶する。ユーザ・ハンドオーバ(handover)の間に、新しいクライアントは先のＰＣＣサーバとのポリシー・コントロール・セッションをセットアップする必要がある。新しいクライアントとＰＣＣサーバとの間のポリシー・コントロール・セッションのセットアップが失敗した場合、予め記憶されているデータ接続と該データ接続を提供するＰＣＣサーバとの間のマッピング関係をＰＣＲＦ制御エンティティがどのように扱うかについて従来技術は示していない。
【課題を解決するための手段】
【０００７】
本発明の実施形態は、データ接続と該データ接続を提供するＰＣＲＦとの間のマッピング関係を制御するＰＣＲＦ制御方法、制御ネットワーク・エレメント、ネットワーク・システムを提供する。
【０００８】
本発明の一態様において提供されるＰＣＲＦ制御方法は、データ接続に対応するポリシー・コントロール・セッションについての情報を取得し、前記ポリシー・コントロール・セッションについての情報はポリシー・コントロール・セッションの解除についての情報もしくはポリシー・コントロール・セッションのセットアップの結果についての情報を含み、前記データ接続に対応するポリシー・コントロール・セッションについての情報にしたがってデータ接続とポリシーおよび課金ルール機能（ＰＣＲＦ）との間のマッピング関係を制御する。
【０００９】
本発明の一態様において提供される制御ネットワーク・エレメントは、データ接続に対応するポリシー・コントロール・セッションについての情報を取得するために適応されているポリシー・コントロール・セッション情報取得ユニットと、前記データ接続に対応するポリシー・コントロール・セッションについての情報にしたがって、該データ接続とポリシーおよび課金ルール機能（ＰＣＲＦ）との間のマッピング関係を制御するために適応されている制御ユニットと、を備える。前記情報は、ポリシー・コントロール・セッションの解除についての情報、もしくは、該ポリシー・コントロール・セッションのセットアップの結果についての情報、を含む。
【００１０】
本発明の一態様において提供されるネットワーク・システムは、データ接続に対応するポリシー・コントロール・セッションの解除についての情報を制御ネットワーク・エレメントに送信するために適応されているネットワーク・ノードと、前記データ接続に対応するポリシー・コントロール・セッションの解除についての情報をネットワーク・ノードから受信し、前記データ接続に対応するポリシー・コントロール・セッションについての受信した情報にしたがって、前記データ接続と該データ接続を提供するポリシーおよび課金ルール機能との間の予め記憶されているマッピング関係を制御する、ために適応されている前記制御ネットワーク・エレメントと、を含む。
【００１１】
本発明の一態様において提供されるネットワーク・システムは、ユーザが利用可能なポリシーおよび課金ルール機能についての情報を取得し、データ接続に対応するポリシー・コントロール・セッションをセットアップすることを必要とするネットワーク・ノードに該情報を送信し、前記データ接続に対応するポリシー・コントロール・セッションのセットアップの結果についての情報をネットワーク・ノードから受信し、前記データ接続に対応するポリシー・コントロール・セッションのセットアップの結果についての情報にしたがって、前記データ接続とポリシーおよび課金ルール機能との間のマッピング関係を制御する、ために適応されている制御ネットワーク・エレメントと、前記データ接続に対応するポリシー・コントロール・セッションのセットアップのリクエストを利用可能なポリシーおよび課金ルール機能に送信し、前記データ接続に対応するポリシー・コントロール・セッションのセットアップが成功したか否かを示すレスポンスを利用可能なポリシーおよび課金ルール機能から受信し、前記レスポンスにしたがって、前記データ接続に対応するポリシー・コントロール・セッションのセットアップの結果についての情報を制御ネットワーク・エレメントに送信する、ために適応されている前記ネットワーク・ノードと、を含む。
【００１２】
本発明の一態様において提供されるネットワーク・システムは、ユーザに利用可能なポリシーおよび課金ルール機能についての情報を取得し、データ接続に対応するポリシー・コントロール・セッションをセットアップすることを必要とするネットワーク・ノードに該情報を送信し、前記データ接続に対応するポリシー・コントロール・セッションのセットアップの結果についての情報を利用可能なポリシーおよび課金ルール機能から受信し、該データ接続に対応するポリシー・コントロール・セッションのセットアップの結果についての情報にしたがって、該データ接続と利用可能なポリシーおよび課金ルール機能との間のマッピング関係を制御する、ために適応されている制御ネットワーク・エレメントと、前記データ接続に対応するポリシー・コントロール・セッションのセットアップのリクエストを利用可能なポリシーおよび課金ルール機能に送信する、ために適応されている前記ネットワーク・ノードと、前記データ接続に対応するポリシー・コントロール・セッションのセットアップのリクエストを受信し、該データ接続に対応するポリシー・コントロール・セッションのセットアップの結果についての情報を前記制御ネットワーク・エレメントに送信する、ように適応されている前記利用可能なポリシーおよび課金ルール機能と、を含む。
【発明の効果】
【００１３】
本発明による技術的解決は以下の利益をもたらす。データ接続の解除時に、制御ネットワーク・エレメントは、該データ接続に対応するポリシー・コントロール・セッションの解除についての情報を取得し、該データ接続に対応するポリシー・コントロール・セッションの解除についての取得された情報にしたがって、該データ接続と該データ接続を提供するＰＣＲＦとの間の予め記憶されているマッピング関係を制御することができる。したがって、データ接続の解除が成功した後、制御ネットワーク・エレメントは、もはや、データ接続と該データ接続を提供するＰＣＲＦとの間のマッピング関係を記憶しない。
【００１４】
本発明による技術的解決は以下の利益をもたらす。ユーザが利用可能なＰＣＲＦについての情報は、データ接続に対応するポリシー・コントロール・セッションをセットアップすることを必要とするネットワーク・ノードに送信される。該データ接続とユーザが利用可能なＰＣＲＦとの間のマッピング関係は、該データ接続に対応するポリシー・コントロール・セッションのセットアップの結果についての情報にしたがって、制御される。したがって、制御ネットワーク・エレメントが転送ノードとして働く場合、該制御ネットワーク・エレメントはデータ接続とユーザが利用可能なＰＣＲＦとの間のマッピング関係を該データ接続に対応するポリシー・コントロール・セッションのセットアップの結果についての情報にしたがって制御することができ、データ接続と該データ接続を提供するＰＣＲＦとの間の正しいマッピング関係を記憶することができる。
【００１５】
本発明による技術的解決は以下の利益をもたらす。データ接続に対応するポリシー・コントロール・セッションの該データ接続を提供するＰＣＲＦとのセットアップの失敗を示す情報が受信された後、データ接続と該データ接続を提供するＰＣＲＦとの間の予め記憶されているマッピング関係が削除される。したがって、制御ネットワーク・エレメントは、もはや、マッピング関係を記憶しない。データ接続のセットアップのための次のポリシー・コントロール・リクエストを受信した場合、制御ネットワーク・エレメントはポリシー・コントロール・セッションのセットアップの失敗を含むＰＣＲＦについての情報をクライアントに送信しない。すなわち、データ接続に対応するポリシー・コントロール・セッションをセットアップすることはできない。
【図面の簡単な説明】
【００１６】
【図１】従来技術におけるＰＣＣ機能を有するネットワーク・アーキテクチャを示す。
【図２】本発明の第１の実施形態におけるＰＣＲＦ制御方法のフローチャートである。
【図３】本発明の第２の実施形態におけるＰＣＲＦ制御方法のフローチャートである。
【図４】本発明の第３の実施形態におけるＰＣＲＦ制御方法のフローチャートである。
【図５】本発明の第４の実施形態におけるＰＣＲＦ制御方法のフローチャートである。
【図６】本発明の第５の実施形態におけるＰＣＲＦ制御方法のフローチャートである。
【図７】本発明の第６の実施形態におけるＰＣＲＦ制御方法のフローチャートである。
【図８】本発明の第７の実施形態におけるＰＣＲＦ制御方法のフローチャートである。
【図９】本発明の第８の実施形態におけるＰＣＲＦ制御方法のフローチャートである。
【図１０】本発明の第９の実施形態における制御ネットワーク・エレメントの構成を示す。
【図１１】本発明の第１０の実施形態における制御ネットワーク・エレメントの構成を示す。
【図１２】本発明の第１１の実施形態における制御ネットワーク・エレメントの構成を示す。
【発明を実施するための形態】
【００１７】
本発明の実施形態はＰＣＲＦ制御方法を提供する。該ＰＣＲＦ制御方法はデータ接続に対応するポリシー・コントロール・セッションの解除についての情報を受信し、データ接続に対応するポリシー・コントロール・セッションの解除についての受信した情報にしたがって、データ接続と該データ接続を提供するＰＣＲＦとの間の予め記憶したマッピング関係を制御する。本方法は制御ネットワーク・エレメントによって実行される。制御ネットワーク・エレメントはＰＣＲＦ制御エンティティであってよい。データ接続に対応するポリシー・コントロール・セッションの解除についての情報は、ポリシー・コントロール・セッションの解除に成功したか否かを示す情報であってもよいし、ポリシー・コントロール・セッションの解除を示す情報であってもよい。
【００１８】
図２は、本発明の第１の実施形態において提供されるＰＣＲＦ制御方法を示す。本方法は、データ接続と該データ接続を提供するＰＣＲＦとの間のマッピング関係をセットアップするためにＰＣＲＦ制御エンティティに適用することができる。当該方法は、以下のステップを含む。
ステップ２０１：
クライアントは中継ノードにポリシー・コントロール・リクエストを送信する。ポリシー・コントロール・リクエストは、ユーザとデータ・ネットワークとの間のデータ接続に対応するポリシー・コントロール・セッションのセットアップを示す情報、ユーザ・アプリケーション情報およびユーザによってアクセスされるデータ・ネットワークについての情報を搬送する。
ステップ２０２：
中継ノードは、ポリシー・コントロール・リクエストの宛先ドメイン情報およびユーザ・アプリケーション情報にしたがって、ダイアメータ・ルーティング・テーブルを問い合わせ、ノード自身が中継ノードであることを知り、ルーティング・テーブル情報にしたがって、次のノードにポリシー・コントロール・リクエストを送出する。この実施形態の次のノードはＰＣＲＦ制御エンティティである。
ステップ２０３：
ＰＣＲＦ制御エンティティは、ユーザ・アプリケーション情報およびユーザによってアクセスされるデータ・ネットワークにしたがって、ダイアメータ・ルーティング・テーブルからユーザに利用可能なＰＣＲＦについての情報を取得し、中継ノードに転送指示を送信する。転送指示は、ユーザに利用可能なＰＣＲＦについての情報を搬送する。ユーザに利用可能なＰＣＲＦについての情報は少なくとも一つのＰＣＲＦについての情報であってよい。
ステップ２０４：
中継ノードは、宛先ＰＣＲＦとして利用可能なＰＣＲＦの一つを選択し、選択されたＰＣＲＦにポリシー・コントロール・リクエストを送信する。
ステップ２０５：
中継ノードは宛先ＰＣＲＦからポリシー・コントロール・レスポンスを受信する。
【００１９】
ポリシー・コントロール・レスポンスが、データ接続に対応するポリシー・コントロール・セッションのセットアップが成功したことを示す場合、データ接続を提供するＰＣＲＦとして該ＰＣＲＦを決定し、ステップ２０６を実行する。ポリシー・コントロール・レスポンスが、データ接続に対応するポリシー・コントロール・セッションのセットアップの失敗を示す場合、中継ノードは宛先ＰＣＲＦとして利用可能なＰＣＲＦの一つを再び選択する。データ接続に対応するポリシー・コントロール・セッションのセットアップの成功をレスポンスが示すまで、ステップ２０４〜２０５が繰り返され、データ接続に対応するポリシー・コントロール・セッションのセットアップの成功をレスポンスが示すと、ステップ２０６が実行される。失敗のタイプがプロトコルの失敗である場合、中継ノードはＰＣＲＦ制御エンティティにＰＣＲＦとのデータ接続に対応するポリシー・コントロール・セッションのセットアップの失敗を示す情報を送信することができる。ＰＣＲＦ制御エンティティは、ＰＣＲＦを一時的な障害ＰＣＲＦとみなし、予め設定された期間の間、ＰＣＲＦを利用不能と設定する。
【００２０】
ステップ２０６：
中継ノードは、ＰＣＲＦ制御エンティティにＰＣＲＦ制御メッセージを送信する。該メッセージはデータ接続についての情報、データ接続を提供するＰＣＲＦについての情報、データ接続と該データ接続を提供するＰＣＲＦとの間のマッピング関係を搬送する。
ステップ２０７：
中継ノードは、データ接続のセットアップが成功したことを示すポリシー・コントロール・レスポンスをクライアントに送信する。
【００２１】
以上のステップはデータ接続のセットアップの初期プロセスである。データ接続のセットアップの初期プロセスに加えて、クライアントによって送信されるポリシー・コントロール・リクエストは宛先ＰＣＲＦについての情報を搬送してもよい。クライアントによって送信されるポリシー・コントロール・リクエストが宛先ＰＣＲＦについての情報を搬送しない場合、中継ノードはＰＣＲＦ制御エンティティにポリシー・コントロール・リクエストを送信する。ＰＣＲＦ制御エンティティは、データ接続と該データ接続を提供するＰＣＲＦとの間の予め記憶されているマッピング関係にしたがって、宛先ＰＣＲＦについての情報を取得し、宛先ＰＣＲＦの情報を搬送する転送指示を中継ノードに送信する。中継ノードはポリシー・コントロール・リクエストをＰＣＲＦに送信する。成功を示すポリシー・コントロール・リクエストを宛先ＰＣＲＦから受信した後、中継ノードは成功を示すポリシー・コントロール・レスポンスをクライアントに送信する。失敗を示すポリシー・コントロール・レスポンスを宛先ＰＣＲＦから受信した後、失敗のタイプがプロトコルの失敗である場合、中継ノードは、失敗を示すポリシー・コントロール・レスポンスの失敗原因値にしたがってポリシー・コントロール・リクエストを再送するか否かを判断する。
失敗の原因が「ＰＣＲＦビジー(busy)」であれば、中継ノードは宛先ＰＣＲＦにポリシー・コントロール・リクエストを再び送信する必要がある。最終的に受信したすべてのポリシー・コントロール・レスポンス・メッセージが失敗を示すか、もしくは、失敗のタイプのすべてがプロトコルの失敗である場合、中継ノードはクライアントに失敗を示すポリシー・コントロール・レスポンスを送信する。この場合、クライアントもしくは中継ノードは、ＰＣＲＦ制御エンティティに宛先ＰＣＲＦとの接続の失敗についての情報を送信してもよい。ＰＣＲＦ制御エンティティは、データ接続と宛先ＰＣＲＦとの間の予め記憶されているマッピング関係を削除し、クライアントが再びセッションを開始する際に、データ接続と該データ接続を提供するＰＣＲＦとの間のマッピング関係が再び生成されるのを待つようにしてもよい。
【００２２】
図３は、本発明の第２の実施形態において提供されるＰＣＲＦ制御方法を示す。本方法は、データ接続と該データ接続を提供するＰＣＲＦとの間のマッピング関係をセットアップするために、ＰＣＲＦ制御エンティティに適用することができる。当該方法は、以下のステップを含む。
ステップ３０１：
クライアントは、ＰＣＲＦ制御エンティティにデータ接続に対応するポリシー・コントロール・セッションのセットアップを示すポリシー・コントロール・リクエストを送信する。
ステップ３０２：
ＰＣＲＦ制御エンティティは、ポリシー・コントロール・リクエストの宛先ドメイン情報およびユーザ・アプリケーション情報にしたがって、利用可能なＰＣＲＦについての情報を取得し、負荷(load)バランス・ポリシーにしたがって、宛先ＰＣＲＦとしてＰＣＲＦの一つを選択し、宛先ＰＣＲＦにポリシー・コントロール・リクエストを送出する。
ステップ３０３：
ＰＣＲＦ制御エンティティはポリシー・コントロール・レスポンスをＰＣＲＦから受信する。
【００２３】
ポリシー・コントロール・レスポンスがポリシー・コントロール・セッションのセットアップの成功を示す場合、前述のＰＣＲＦはデータ接続を提供するＰＣＲＦであり、データ接続と該データ接続を提供するＰＣＲＦとの間のマッピング関係がセットアップされ、ステップ３０４が実行される。ポリシー・コントロール・レスポンスがポリシー・コントロール・セッションのセットアップの失敗を示す場合、ＰＣＲＦ制御エンティティは宛先ＰＣＲＦとして利用可能なＰＣＲＦの一つを再び選択し、ポリシー・コントロール・セッションのセットアップの成功を示すポリシー・コントロール・レスポンスが受信されるまで、ステップ３０２〜３０３が繰り返される。ポリシー・コントロール・セッションのセットアップの成功を示すポリシー・コントロール・レスポンスが受信されると、データ接続と該データ接続を提供するＰＣＲＦとの間のマッピング関係がセットアップされ、ステップ３０４が実行される。失敗のタイプがプロトコルの失敗である場合、ＰＣＲＦ制御エンティティはＰＣＲＦを一時的な障害ＰＣＲＦとみなし、予め設定された期間の間、ＰＣＲＦを利用不能と設定してもよい。
【００２４】
ステップ３０４：
ＰＣＲＦ制御エンティティは、ポリシー・コントロール・セッションのセットアップの成功を示すポリシー・コントロール・レスポンスをクライアントに送信する。
【００２５】
前述のステップは、ポリシー・コントロール・セッションのセットアップの初期プロセスである。データ接続のセットアップの初期プロセスに加えて、クライアントによって送信されるポリシー・コントロール・リクエストは宛先ＰＣＲＦについての情報を搬送してもよい。クライアントによって送信されるポリシー・コントロール・リクエストが宛先ＰＣＲＦについての情報を搬送しない場合、ＰＣＲＦ制御エンティティは、データ接続と該データ接続を提供するＰＣＲＦとの間の予め記憶されているマッピング関係にしたがって、宛先ＰＣＲＦについての情報を取得し、宛先ＰＣＲＦにポリシー・コントロール・リクエストを送出する。成功を示すポリシー・コントロール・レスポンスを宛先ＰＣＲＦから受信した後、ＰＣＲＦ制御エンティティは成功を示すポリシー・コントロール・レスポンスをクライアントに送信する。失敗を示すポリシー・コントロール・レスポンスを宛先ＰＣＲＦから受信した後、失敗のタイプがプロトコルの失敗である場合、ＰＣＲＦ制御エンティティはポリシー・コントロール・リクエストを再び送信するか否かを判断する。失敗の原因が「ＰＣＲＦビジー」である場合、ＰＣＲＦ制御エンティティは宛先ＰＣＲＦにポリシー・コントロール・リクエストを再び送信する必要がある。最終的に受信したすべてのポリシー・コントロール・レスポンス・メッセージが失敗を示すか、もしくは、失敗のタイプのすべてがプロトコルの失敗である場合、ＰＣＲＦ制御エンティティはクライアントに失敗を示すポリシー・コントロール・レスポンスを送信する。この場合、ＰＣＲＦ制御エンティティは、データ接続と宛先ＰＣＲＦとの間の予め記憶されているマッピング関係を削除し、クライアントが再びセッションを開始する際に、データ接続と該データ接続を提供するＰＣＲＦとの間のマッピング関係が再び生成されるのを待つようにしてもよい。
【００２６】
図４は、本発明の第３の実施形態において提供されるＰＣＲＦ制御方法を示す。本方法は、データ接続と該データ接続を提供するＰＣＲＦとの間のマッピング関係をセットアップするためにＰＣＲＦ制御エンティティに適用することができる。当該方法は、以下のステップを含む。
ステップ４０１：
クライアントは、データ接続に対応するポリシー・コントロール・セッションのセットアップを示すポリシー・コントロール・リクエストをＰＣＲＦ制御エンティティに送信する。
ステップ４０２：
ＰＣＲＦ制御エンティティは、ポリシー・コントロール・リクエストの宛先ドメイン情報およびユーザ・アプリケーション情報にしたがって、利用可能なＰＣＲＦについての情報を取得し、利用可能なＰＣＲＦについての情報を搬送する転送指示をクライアントに送信する。利用可能なＰＣＲＦについての情報は少なくとも一つのＰＣＲＦについての情報であってよい。
ステップ４０３：
クライアントは宛先ＰＣＲＦとして利用可能なＰＣＲＦの一つを選択し、ユーザ・データ接続に対応するポリシー・コントロール・セッションのセットアップを示すポリシー・コントロール・リクエストを宛先ＰＣＲＦに送信する。
ステップ４０４：
クライアントは、宛先ＰＣＲＦからポリシー・コントロール・レスポンスを受信する。
【００２７】
ポリシー・コントロール・レスポンスがポリシー・コントロール・セッションのセットアップの成功を示す場合、該ＰＣＲＦはデータ接続を提供するＰＣＲＦとして決定され、ステップ４０５が実行される。ポリシー・コントロール・レスポンスがポリシー・コントロール・セッションのセットアップの失敗を示す場合、クライアントは宛先ＰＣＲＦとして利用可能なＰＣＲＦの一つを選択し、ポリシー・コントロール・セッションのセットアップの成功を示すポリシー・コントロール・レスポンスが受信されるまで、ステップ４０３〜４０４が繰り返される。ポリシー・コントロール・セッションのセットアップの成功を示すポリシー・コントロール・レスポンスが受信されると、ステップ４０５が実行される。ポリシー・コントロール・レスポンスがＰＣＲＦとのポリシー・コントロール・セッションのセットアップの失敗を示す場合、クライアントはＰＣＲＦ制御エンティティにＰＣＲＦ制御メッセージを送信する。メッセージは、ＰＣＲＦとのポリシー・コントロール・セッションのセットアップの失敗についての情報を搬送する。ＰＣＲＦ制御エンティティはＰＣＲＦを障害ＰＣＲＦとみなし、予め設定された期間の間、ＰＣＲＦを利用不能と設定する。
【００２８】
ステップ４０５：
クライアントはＰＣＲＦ制御エンティティにＰＣＲＦ制御メッセージを送信する。
【００２９】
該メッセージはデータ接続と該データ接続を提供するＰＣＲＦとの間のマッピング関係を搬送する。該データ接続はユーザとデータ・ネットワークとの間に存在する。
【００３０】
前述のステップは最初のデータ接続に対応するポリシー・コントロール・セッションのセットアップのプロセスである。データ接続のセットアップの初期プロセスに加えて、クライアントによって送信されるポリシー・コントロール・リクエストは宛先ＰＣＲＦについての情報を搬送してもよい。クライアントによって送信されるポリシー・コントロール・リクエストが宛先ＰＣＲＦについての情報を搬送しない場合、ポリシー・コントロール・リクエストは確実にＰＣＲＦ制御エンティティを通過する。ＰＣＲＦ制御エンティティが、データ接続（該データ接続はユーザとデータ・ネットワークとの間に存在する）とＰＣＲＦとの間の予め記憶されているマッピング関係にしたがって、宛先ＰＣＲＦについての情報を取得し、該情報をクライアントに送信する。クライアントは、宛先ＰＣＲＦにポリシー・コントロール・リクエストを送信する。失敗を示すポリシー・コントロール・レスポンスを宛先ＰＣＲＦから受信した後、クライアントはポリシー・コントロール・リクエストを再び送信するか否かを判断する。失敗の原因が「ＰＣＲＦビジー」である場合、クライアントは宛先ＰＣＲＦにポリシー・コントロール・リクエストを再び送信する必要がある。最終的に受信したすべてのポリシー・コントロール・レスポンス・メッセージが失敗を示す場合、クライアントはＰＣＲＦ制御エンティティに宛先ＰＣＲＦとの接続の失敗についての情報を送信してもよい。ＰＣＲＦ制御エンティティは、データ接続と宛先ＰＣＲＦとの間の予め記憶されているマッピング関係を削除し、クライアントが再びセッションを開始する際に、データ接続と該データ接続を提供するＰＣＲＦとの間のマッピング関係が再び生成されるのを待つようにしてもよい。
【００３１】
図５は本発明の第４の実施形態において提供されるＰＣＲＦ制御方法を示す。本方法は、データ接続と該データ接続を提供するＰＣＲＦとの間のマッピング関係をセットアップするためにＰＣＲＦ制御エンティティに適用することができる。当該方法は以下のステップを含む。
ステップ５０１：
クライアントは、中継ノードに、データ接続に対応するポリシー・コントロール・セッションのセットアップを示すポリシー・コントロール・リクエストを送信する。
ステップ５０２：
中継ノードは、ポリシー・コントロール・リクエストの宛先ドメイン情報およびユーザ・アプリケーション情報にしたがって、ダイアメータ・プロトコル・ルーティング・テーブルを問い合わせて、ノード自身が中継ノードであることを知り、ルーティング・テーブル情報にしたがって、次のノードにポリシー・コントロール・リクエストを送出する。本実施形態において、次のノードはＰＣＲＦ制御エンティティである。
ステップ５０３：
ＰＣＲＦ制御エンティティはユーザ・アプリケーション情報およびユーザによってアクセスされるデータ・ネットワークにしたがって、ダイアメータ・ルーティング・テーブルからユーザが利用可能なＰＣＲＦについての情報を取得し、データ接続とＰＣＲＦ１との間のマッピング関係をセットアップするために中継ノードに転送指示を送信する。（転送指示は利用可能なＰＣＲＦ１についての情報を搬送する。）
ステップ５０４：
中継ノードは利用可能なＰＣＲＦ１にデータ接続に対応するポリシー・コントロール・セッションのセットアップを示すポリシー・コントロール・リクエストを送信する。
ステップ５０５：
ＰＣＲＦ１は中継ノードにポリシー・コントロール・セッションのセットアップの失敗を示すポリシー・コントロール・レスポンスを送信する。
ステップ５０６：
中継ノードはＰＣＲＦ制御エンティティにデータ接続に対応するポリシー・コントロール・セッションのセットアップの結果についての情報を送信する。ポリシー・コントロール・セッションのセットアップの結果についての情報がＰＣＲＦ１とのポリシー・コントロール・セッションのセットアップの失敗を示し、再選択指示を搬送する。
ステップ５０７：
ＰＣＲＦ制御エンティティはユーザ・アプリケーション情報およびユーザによってアクセスされるデータ・ネットワークにしたがって、ダイアメータ・ルーティング・テーブルからユーザが利用可能なＰＣＲＦについての情報を再び取得し、データ接続と再び取得されたＰＣＲＦとの間のマッピング関係をセットアップするために中継ノードに転送指示を送信し、データ接続とＰＣＲＦ１との間のマッピング関係を削除する。（転送指示はＰＣＲＦ２のような再び取得されたＰＣＲＦについての情報を搬送する。）
ステップ５０８：
中継ノードは利用可能なＰＣＲＦ２にデータ接続に対応するポリシー・コントロール・セッションのセットアップを示すポリシー・コントロール・リクエストを送信する。
ステップ５０９：
ＰＣＲＦ２は中継ノードにポリシー・コントロール・レスポンスを送信する。
ステップ５１０：
ポリシー・コントロール・レスポンスがポリシー・コントロール・セッションのセットアップの完了を示す場合、中継ノードはクライアントにポリシー・コントロール・レスポンスを送出する。ポリシー・コントロール・レスポンスがポリシー・コントロール・セッションのセットアップの失敗を示す場合、プロセスはステップ５０６に戻る。
【００３２】
図６は本発明の第５の実施形態において提供されるＰＣＲＦ制御方法を示す。本方法は、データ接続に対応するポリシー・コントロール・セッションの削除に適用することができる。当該方法は以下のステップを含む。
ステップ６０１：
クライアントは中継ノードにデータ接続に対応するポリシー・コントロール・セッションの解除を示すポリシー・コントロール・リクエストを送信する。
ステップ６０２：
ポリシー・コントロール・リクエストが宛先ＰＣＲＦについての情報を搬送する場合、中継ノードは、宛先ＰＣＲＦにデータ接続に対応するポリシー・コントロール・セッションの解除を示すポリシー・コントロール・リクエストを送出する。
ステップ６０３：
宛先ＰＣＲＦは、ポリシー・コントロール・セッションの解除が成功したか否かを示すポリシー・コントロール・レスポンスを中継ノードに送信する。
ステップ６０４：
中継ノードは、ポリシー・コントロール・セッションの解除が成功したか否かを示すＰＣＲＦ制御メッセージをＰＣＲＦ制御エンティティに送信する。
ステップ６０５：
ＰＣＲＦ制御エンティティがポリシー・コントロール・セッションの解除の成功を示す情報を受信した場合、ＰＣＲＦ制御エンティティは、データ接続と該データ接続を提供するＰＣＲＦとの間の予め記憶されているマッピング関係を削除する。ＰＣＲＦ制御エンティティがポリシー・コントロール・セッションの解除の失敗を示す情報を受信した場合、ＰＣＲＦ制御エンティティはデータ接続と該データ接続を提供するＰＣＲＦとの間の予め記憶されているマッピング関係を保持する。
ステップ６０６：
中継ノードは、クライアントにポリシー・コントロール・セッションの解除が成功したか否かを示すポリシー・コントロール・レスポンスを送信する。
【００３３】
ステップ６０１においてポリシー・コントロール・セッションの解除を示すポリシー・コントロール・リクエストが宛先ＰＣＲＦの情報を搬送しない場合、中継ノードはＰＣＲＦ制御エンティティにポリシー・コントロール・セッションの解除を示すポリシー・コントロール・リクエストを送信する。ＰＣＲＦ制御エンティティは、データ接続と該データ接続を提供するＰＣＲＦとの間の予め記憶されているマッピング関係にしたがって、宛先ＰＣＲＦについての情報を取得し、該情報を中継ノードに送信する。その後、ステップ６０２において、中継ノードは宛先ＰＣＲＦにポリシー・コントロール・セッションの解除を示すポリシー・コントロール・リクエストを送出する。
【００３４】
前述の実施形態におけるステップ６０４において、ポリシー・コントロール・レスポンスがポリシー・コントロール・セッションの解除の成功を示す場合、ポリシー・コントロール・セッションの解除の成功を示すＰＣＲＦ制御メッセージがＰＣＲＦ制御エンティティに送信されてもよい。ステップ６０５において、ポリシー・コントロール・セッションの解除の成功を示す情報を受信した後、ＰＣＲＦ制御エンティティはデータ接続と該データ接続を提供するＰＣＲＦとの間の予め記憶されているマッピング関係を削除する。
【００３５】
図７は本発明の第６の実施形態において提供されるＰＣＲＦ制御方法を示す。本方法は、データ接続に対応するポリシー・コントロール・セッションの削除に適用することができる。当該方法は以下のステップを含む。
ステップ７０１：
クライアントは、ＰＣＲＦ制御エンティティにデータ接続に対応するポリシー・コントロール・セッションの解除を示すポリシー・コントロール・リクエストを送信する。
ステップ７０２：
ポリシー・コントロール・リクエストが宛先ＰＣＲＦについての情報を搬送する場合、ＰＣＲＦ制御エンティティは宛先ＰＣＲＦにデータ接続に対応するポリシー・コントロール・セッションの解除を示すポリシー・コントロール・リクエストを送出する。
ステップ７０３：
宛先ＰＣＲＦは、ＰＣＲＦ制御エンティティに、データ接続に対応するポリシー・コントロール・セッションの解除が成功したか否かを示すポリシー・コントロール・レスポンスを送信する。
ステップ７０４：
ＰＣＲＦ制御エンティティがポリシー・コントロール・セッションの解除の成功を示す情報を受信した場合、ＰＣＲＦ制御エンティティはデータ接続と該データ接続を提供するＰＣＲＦとの間の予め記憶されているマッピング関係を削除する。ＰＣＲＦ制御エンティティがポリシー・コントロール・セッションの解除の失敗を示す情報を受信した場合、ＰＣＲＦ制御エンティティはデータ接続と該データ接続を提供するＰＣＲＦとの間の予め記憶されているマッピング関係を保持する。
ステップ７０５：
ＰＣＲＦ制御エンティティは、ポリシー・コントロール・セッションの解除が成功したか否かを示すポリシー・コントロール・レスポンスをクライアントに送信する。
【００３６】
ステップ７０３において、宛先ＰＣＲＦからＰＣＲＦ制御エンティティによって受信されるポリシー・コントロール・レスポンスがポリシー・コントロール・セッションの失敗を示す場合、失敗のタイプがプロトコルの失敗であれば、ＰＣＲＦ制御エンティティは、ポリシー・コントロール・セッションの解除を示すポリシー・コントロール・リクエストの送信を宛先ＰＣＲＦに再び試みてもよい。最後のリクエストが失敗した場合、もしくは、失敗のタイプがプロトコルの失敗でない場合、ＰＣＲＦ制御エンティティはデータ接続と該データ接続を提供するＰＣＲＦとの間の予め記憶されているマッピング関係を保持してもよい。ステップ７０１においてデータ接続の解除を示すポリシー・コントロール・リクエストが宛先ＰＣＲＦについての情報を搬送しない場合、ＰＣＲＦ制御エンティティはデータ接続と該データ接続を提供するＰＣＲＦとの間の予め記憶されているマッピング関係にしたがって、宛先ＰＣＲＦについての情報を取得し（該データ接続はユーザとデータ・ネットワークとの間に存在する）、ステップ７０２において、ＰＣＲＦ制御エンティティは宛先ＰＣＲＦにデータ接続の解除を示すポリシー・コントロール・リクエストを送出する。
【００３７】
図８は本発明の第７の実施形態において提供されるＰＣＲＦ制御方法を示す。本方法は、データ接続に対応するポリシー・コントロール・セッションの削除に適用することができる。当該方法は以下のステップを含む。
ステップ８０１：
クライアントは、宛先ＰＣＲＦにデータ接続に対応するポリシー・コントロール・セッションの解除を示すポリシー・コントロール・リクエストを送信する。
ステップ８０２：
宛先ＰＣＲＦは、ポリシー・コントロール・セッションの解除が成功したか否かを示すポリシー・コントロール・レスポンスをクライアントに送信する。
ステップ８０３：
クライアントは、ポリシー・コントロール・セッションの解除が成功したか否かを示すＰＣＲＦ制御メッセージをＰＣＲＦ制御エンティティに送信する。
ステップ８０４：
ＰＣＲＦ制御エンティティがポリシー・コントロール・セッションの解除の成功を示す情報を受信した場合、ＰＣＲＦ制御エンティティはデータ接続と該データ接続を提供するＰＣＲＦとの間の予め記憶されているマッピング関係を削除する。ＰＣＲＦ制御エンティティがポリシー・コントロール・セッションの解除の失敗を示す情報を受信した場合、データ接続と該データ接続を提供するＰＣＲＦとの間の予め記憶されているマッピング関係を保持する。
【００３８】
前述の実施形態のステップ８０３において、ポリシー・コントロール・レスポンスがポリシー・コントロール・セッションの解除の成功を示す場合、ポリシー・コントロール・セッションの解除を示すＰＣＲＦ制御メッセージをＰＣＲＦ制御エンティティに送信してもよい。ステップ８０４において、ポリシー・コントロール・セッションの解除の成功を示す情報を受信した場合、ＰＣＲＦ制御エンティティはデータ接続と該データ接続を提供するＰＣＲＦとの間の予め記憶されているマッピング関係を削除する。
【００３９】
図９は本発明の第８の実施形態において提供されるＰＣＲＦ制御方法を示す。本方法は、データ接続に対応するポリシー・コントロール・セッションの削除に適用することができる。当該方法は以下のステップを含む。
ステップ９０１〜９０２：
ＰＣＲＦはデータ接続に対応するポリシー・コントロール・セッションを削除する必要があり、中継ノードを介してクライアントにポリシー・コントロール・リクエストを送信する。中継ノードはリクエストを記録する。
ステップ９０３：
クライアントは中継ノードにポリシー・コントロール・レスポンスを送信する。レスポンスは、データ接続に対応するポリシー・コントロール・セッションの削除が成功したか否かを示す。
【００４０】
クライアントがデータ接続に対応するポリシー・コントロール・セッションの削除に成功した場合、クライアントはＰＣＲＦ制御エンティティにＰＣＲＦ制御メッセージを送信する。該メッセージはポリシー・コントロール・セッションの解除の成功を示す。この場合、ステップ９０４を省略してもよい。
【００４１】
クライアントがデータ接続に対応するポリシー・コントロール・セッションの削除に失敗した場合、ステップ９０４を実行する必要がある。
【００４２】
ステップ９０４：
中継ノードはポリシー・コントロール・レスポンスとポリシー・コントロール・リクエストとを突き合わせる(match)。ポリシー・コントロール・レスポンスがデータ接続に対応するポリシー・コントロール情報の削除の失敗を示す場合であって、失敗のタイプがプロトコルの失敗である場合、中継ノードは宛先ＰＣＲＦにポリシー・コントロール・リクエストを送信することを再び試みてもよい。最後のリクエストが失敗した場合、もしくは、失敗のタイプがプロトコルの失敗でない場合、ＰＣＲＦ制御エンティティに中継ノードによって送信されるＰＣＲＦ制御メッセージはデータ接続の解除の失敗についての情報を搬送する。ポリシー・コントロール・レスポンスがデータ接続に対応するポリシー・コントロール・セッションの削除の成功を示す場合、中継ノードによってＰＣＲＦ制御エンティティに送信されるＰＣＲＦ制御メッセージはポリシー・コントロール・セッションの解除の成功についての情報を搬送する。
ステップ９０５
中継ノードは宛先ＰＣＲＦにポリシー・コントロール・レスポンスを送信する。該レスポンスは、データ接続に対応するポリシー・コントロール・セッションの削除が成功したか否かを示す。
【００４３】
代替的に、本実施形態において、宛先ＰＣＲＦがデータ接続に対応するポリシー・コントロール・セッションの削除に成功したか否かを示すポリシー・コントロール・レスポンスを受信した後、ポリシー・コントロール・レスポンスがデータ接続に対応するポリシー・コントロール・セッションの削除の成功を示す場合、宛先ＰＣＲＦによってＰＣＲＦ制御エンティティに送信されるＰＣＲＦ制御メッセージはポリシー・コントロール・セッションの解除の成功を示す情報を搬送する。
【００４４】
当業者には、前述の実施形態のステップのすべてもしくは部分がプログラムによって指示されるハードウェアによって実行されてもよいことは自明である。プログラムはリード−オンリー・メモリ（ＲＯＭ）、磁気ディスク、コンパクト・ディスクのようなコンピュータ読取り可能記憶媒体に記憶されてもよい。
【００４５】
図１０に示されるように、本発明の第９の実施形態において提供される制御ネットワーク・エレメントは以下を含む。
●ユーザに利用可能なＰＣＲＦエンティティについての情報を取得するために適応されているＰＣＲＦ情報取得ユニット１００１
●データ接続に対応するポリシー・コントロール・セッションをセットアップすることを必要とするネットワーク・ノードに、取得されたＰＣＲＦ情報を送信するために適応されているＰＣＲＦ情報送信ユニット１００２
●ネットワーク・ノードもしくは利用可能なＰＣＲＦから、データ接続に対応するポリシー・コントロール・セッションのセットアップの結果についての情報を受信するために適応されているポリシー・コントロール・セッション・セットアップ結果受信ユニット１００３
●データ接続に対応するポリシー・コントロール・セッションのセットアップの結果についての情報にしたがって、データ接続と利用可能なＰＣＲＦとの間のマッピング関係を制御するために適応されている制御ユニット１００４
【００４６】
該制御ユニット１００４は、ポリシー・コントロール・セッションのセットアップの結果についての情報からポリシー・コントロール・セッションのセットアップが成功したＰＣＲＦとデータ接続との間のマッピング関係を取得し、該マッピング関係を記憶するように適応されている記憶ユニットを含む。
【００４７】
ＰＣＲＦ情報はＰＣＲＦについての情報である。制御ユニット１００４は、データ接続に対応するポリシー・コントロール・セッションのセットアップの結果についての情報がＰＣＲＦとのポリシー・コントロール・セッションのセットアップの失敗を示す場合、データ接続とＰＣＲＦとの間の予め記憶されているマッピング関係を削除するために適応されている削除ユニットを含む。
【００４８】
制御ネットワーク・エレメントはさらに以下を含む。
●所定期間の間、ポリシー・コントロール・セッションのセットアップに失敗したＰＣＲＦを利用不能と設定するために適応されている設定ユニット１００５
●データ接続に対応するポリシー・コントロール・セッションのセットアップの結果についての情報がＰＣＲＦの再選択の指示を搬送する場合、ユーザに利用可能なＰＣＲＦについての情報を再び取得し、ネットワーク・ノードに情報を送信するか、もしくは、データ接続に対応するポリシー・コントロール・セッションのセットアップのリクエストを再び取得されたＰＣＲＦに送信するために適応されている再選択ユニット１００６
【００４９】
図１１に示すように、本発明の第１０の実施形態において提供される他の制御ネットワーク・エレメントは以下を含む。
●データ接続に対応するポリシー・コントロール・セッションの解除についての情報を受信するために適応されているポリシー・コントロール・セッション解除情報受信ユニット１１０１
●データ接続に対応するポリシー・コントロール・セッションの解除についての受信した情報にしたがって、データ接続と該データ接続を提供するＰＣＲＦとの間の予め記憶されているマッピング関係を制御するために適応されている制御ユニット１１０２
【００５０】
制御ユニット１１０２は、データ接続に対応するポリシー・コントロール・セッションの解除についての情報がポリシー・コントロール・セッションの解除の成功を示す場合、データ接続と該データ接続を提供するＰＣＲＦとの間の予め記憶されているマッピング関係を削除するために適応されている。
【００５１】
図１２に示すように、本発明の第１１の実施形態において提供される他の制御ネットワーク・エレメントは以下を含む。
●ユーザとデータ接続を提供するＰＣＲＦとの間のデータ接続に対応するポリシー・コントロール・セッションのセットアップの失敗を示す情報を受信するように適応されている情報受信ユニット１２０１
●データ接続と該データ接続を提供するＰＣＲＦとの間の予め記憶されているマッピング関係を削除するように適応されている削除ユニット１２０２
【００５２】
本発明の第１２の実施形態において提供されるネットワーク・システムは以下を含む。
●データ接続に対応するポリシー・コントロール・セッションの解除が成功したか否かをチェックし、データ接続に対応するポリシー・コントロール・セッションの解除についての情報を制御ネットワーク・エレメントに送信するように適応されているネットワーク・ノード
●データ接続に対応するポリシー・コントロール・セッションの解除についての情報をネットワーク・ノードから受信し、データ接続に対応するポリシー・コントロール・セッションの解除についての受信した情報にしたがって、データ接続と該データ接続を提供するＰＣＲＦとの間の予め記憶されているマッピング関係を制御するように適応されている制御ネットワーク・エレメント
【００５３】
ネットワーク・ノードは中継ノード、クライアント、もしくはデータ接続を提供するＰＣＲＦである。
【００５４】
本発明の第１２の実施形態において提供されるネットワーク・システムは以下を含む。
●ユーザに利用可能なＰＣＲＦについての情報を取得し、データ接続に対応するポリシー・コントロール・セッションをセットアップすることを必要とするネットワーク・ノードに該情報を送信し、データ接続に対応するポリシー・コントロール・セッションのセットアップの結果についての情報をネットワーク・ノードから受信し、データ接続に対応するポリシー・コントロール・セッションのセットアップの結果についての情報にしたがって、データ接続と利用可能なＰＣＲＦとの間のマッピング関係を制御するように適応されている制御ネットワーク・エレメント
●データ接続に対応するポリシー・コントロール・セッションのセットアップのリクエストを利用可能なＰＣＲＦに送信し、データ接続に対応するポリシー・コントロール・セッションのセットアップが成功したか否かを示すレスポンスを利用可能なＰＣＲＦから受信し、レスポンスにしたがってデータ接続に対応するポリシー・コントロール・セッションのセットアップの結果についての情報を制御ネットワーク・エレメントに送信するように適応されているネットワーク・ノード
【００５５】
本発明の第１３の実施態様において提供されるネットワーク・システムは、以下を含む。
●ユーザに利用可能なＰＣＲＦについての情報を取得し、データ接続に対応するポリシー・コントロール・セッションをセットアップすることを必要とするネットワーク・ノードに該情報を送信し、データ接続に対応するポリシー・コントロール・セッションのセットアップの結果についての情報を利用可能なＰＣＲＦから受信し、データ接続に対応するポリシー・コントロール・セッションのセットアップの結果についての情報にしたがって、データ接続と利用可能なＰＣＲＦとの間のマッピング関係を制御するように適応されている制御ネットワーク・エレメント
●データ接続に対応するポリシー・コントロール・セッションのセットアップのリクエストを利用可能なＰＣＲＦに送信するように適応されているネットワーク・ノード
●リクエストを受信した後、データ接続に対応するポリシー・コントロール・セッションのセットアップが成功したか否かをチェックし、データ接続に対応するポリシー・コントロール・セッションのセットアップの結果についての情報を制御ネットワーク・エレメントに送信する利用可能なＰＣＲＦ
【００５６】
本発明の実施形態は以下の効果を有する。
１．ユーザとデータ・ネットワークとの間のデータ接続を解除するときに、ＰＣＲＦ制御エンティティは、データ接続に対応するポリシー・コントロール・セッションの解除が成功したか否かについての情報を取得し、データ接続に対応するポリシー・コントロール・セッションの解除が成功したか否かについての取得した情報にしたがってデータ接続を提供するＰＣＲＦとデータ接続との間のマッピング関係を制御することができる。したがって、データ接続の解除が成功した場合、ＰＣＲＦ制御エンティティは、データ接続と該データ接続を提供するＰＣＲＦとの間のマッピング関係をもはや記憶しない。
２．最初に、ユーザがデータ接続をセットアップする場合、データ接続に対応するポリシー・コントロール・セッションのセットアップが成功したか否かを示す情報を受信した後にだけ、ＰＣＲＦ制御エンティティはデータ接続とＰＣＲＦとの間のマッピング関係をセットアップする。これにより、データ接続とＰＣＲＦとの間の正しいマッピング関係を記憶することをＰＣＲＦ制御エンティティに保証する。
３．データ接続を提供するＰＣＲＦとのデータ接続に対応するポリシー・コントロール・セッションのセットアップの失敗を示す情報を受信した後、データ接続と該データ接続を提供するＰＣＲＦとの間の予め記憶されているマッピング関係を削除する。したがって、制御ネットワーク・エレメントはもはやマッピング関係を記憶しない。データ接続のセットアップの次のポリシー・コントロール・リクエストを受信した場合、制御ネットワーク・エレメントは、ポリシー・コントロール・セッションのセットアップの失敗を含むＰＣＲＦについての情報をクライアントに送信しない。その他の場合、データ接続に対応するポリシー・コントロール・セッションをセットアップすることはできない。
【００５７】
詳細には、上記は、本願発明のＰＣＲＦ制御方法、制御ネットワーク・エレメント、ネットワーク・システムである。本発明はいくつかの例示的な実施形態によって説明されるが、本発明はこれらの実施形態に限定されるものではない。当業者であれば、本発明の思想および範囲から離れることなく、本発明を変更することができることは明らかである。本発明は、特許請求の範囲の記載もしくは該記載と同等のものによって定義される保護範囲にあるような変更もカバーすることを意図している。
【００５８】
本出願は、２００８年１月２８日に中国特許庁に出願された中国特許出願第２００８１０００６９９５．７号（タイトル「ポリシーおよび課金ルール機能制御方法、制御ネットワーク・エレメント、ネットワーク・システム(POLICY AND CHARGING RULES FUNCTION MANAGEMENT METHOD, MANAGEMENT NETWORK ELEMENT, AND NETWORK SYSTEM)」）を基礎として優先権を主張し、当該出願の全部を参照によって本明細書に組み込む。
【図１】
2011502388.tif 000003
【図２】
2011502388.tif 000004
【図３】
2011502388.tif 000005
【図４】
2011502388.tif 000006
【図５】
2011502388.tif 000007
【図６】
2011502388.tif 000008
【図７】
2011502388.tif 000009
【図８】
2011502388.tif 000010
【図９】
2011502388.tif 000011
【図１０】
2011502388.tif 000012
【図１１】
2011502388.tif 000013
【図１２】
2011502388.tif 000014
【手続補正書】
【提出日】平成22年4月27日(2010.4.27)
【手続補正１】
【補正対象書類名】明細書
【補正対象項目名】全文
【補正方法】変更
【補正の内容】
【発明の詳細な説明】
【技術分野】
【０００１】
本発明は通信技術に関し、詳細には、ポリシーおよび課金ルール機能（ＰＣＲＦ : Policy and Charging Rules Function）制御方法、制御ネットワーク・エレメント、ネットワーク・システムに関する。
【背景技術】
【０００２】
図１に示されるように、ポリシーおよび課金制御（ＰＣＣ : Policy and Charging Control）機能を有するネットワーク・アーキテクチャは、ポリシーおよび課金ルール機能（ＰＣＲＦ）、ポリシーおよび課金施行機能（ＰＣＥＦ : Policy and Charging Enforcement Function）、アプリケーション機能（ＡＦ : Application Function）を含む。ＰＣＲＦは、オペレーション・ポリシーおよびサービス・アプリケーション情報にしたがって、ユーザ・サービス・ストリームのためのクオリティ・オブ・サービス（ＱｏＳ : Quality of Service）および課金ルール（「ＰＣＣルール」）を動的に生成する。ＰＣＥＦはＰＣＣルールを実行するゲートウェイである。ＡＦは、一般的に、サービス制御サーバである。ユーザ・ターミナルは、サービス接続を開始するためにＡＦにアクセスする必要がある。ＡＦはＰＣＲＦにターミナル・サービス情報を提供する。ＰＣＲＦはＰＣＥＦ／ＡＦとダイアメータ・プロトコル(Diameter protocol)を介して通信する。ＰＣＥＦ／ＡＦはクライアントであり、ＰＣＲＦはサーバである。
【０００３】
複数のＰＣＲＦをＰＣＣネットワークに配置することができる。ユーザ・ターミナルがデータ・ネットワークに接続されると、ＰＣＲＦの一つが選択される。ＰＣＲＦが選択された後、データ・ネットワークへのデータ接続が切断されるまで、選択されたＰＣＲＦがデータ接続のＰＣＣサーバとして働く。ネットワークにおける複数のクライアントは同一のデータ接続のためにＰＣＲＦにアクセスする必要がある。したがって、ＰＣＲＦ制御エンティティが、データ接続と該データ接続を提供するＰＣＲＦとの間のマッピング関係を制御するためにＰＣＣネットワークに導入される。該データ接続はユーザとデータ・ネットワークとの間に存在する。クライアントによって送信されるポリシー・コントロール・リクエスト・メッセージのいずれかが宛先ＰＣＲＦ情報を搬送しない場合、ポリシー・コントロール・リクエスト・メッセージはＰＣＲＦ制御エンティティを通過する(pass through)必要がある。ＰＣＲＦ制御エンティティは、データ接続と該データ接続を提供するＰＣＲＦとの間の予め記憶されているマッピング関係にしたがって、宛先ＰＣＲＦ情報を取得し、宛先ＰＣＲＦにポリシー・コントロール・リクエスト・メッセージを送信する。これにより、異なるクライアントが同一のデータ接続のためにサーバを割り当てることを要求する場合に、異なるクライアントがＰＣＣサーバとして同一のＰＣＲＦを確実に使用することになる。
【０００４】
クライアントが最初にＰＣＣサーバとの接続をセットアップする場合、ＰＣＲＦ制御エンティティは利用可能なＰＣＣサーバを選択し、選択したＰＣＣサーバについての情報をクライアントにリターンし、データ接続とＰＣＣサーバとの間のマッピング関係を記録する必要がある。クライアントは、データ接続のセットアップをＰＣＣサーバに指示するために、利用可能なＰＣＣサーバにポリシー・コントロール・リクエスト・メッセージを送信する。実際には、クライアントと割り当てられたＰＣＣサーバとの間のルートはブロックされるかもしれない。この場合、クライアントと割り当てられたＰＣＣサーバとの間のデータ接続のセットアップは失敗する。クライアントが再度ＰＣＣサーバを選択すると、データ接続に対応するポリシー・コントロール・セッションのセットアップはやはり失敗する。これは、ＰＣＲＦ制御エンティティがデータ接続と以前に選択されているＰＣＣサーバとの間のマッピング関係を保持するからである。リターンされるＰＣＣサーバについての情報は、最後に選択されたＰＣＣサーバについての情報のままである。
【０００５】
クライアントとＰＣＣサーバとの間のデータ接続のセットアップが成功した後、一方のパーティ(party)が他方のパーティのホスト・ネームを取得することができる。したがって、ホスト・ネームを介して以降交換される情報をピア・パーティ(peer party)に送ることができる。たとえば、クライアントによってＰＣＣサーバに送信される以降のポリシー・コントロール・リクエスト・メッセージは宛先ＰＣＲＦ情報を搬送する。したがって、宛先ＰＣＲＦ情報についてＰＣＲＦ制御エンティティに問い合せる必要はない。したがって、データ接続が解除されると、データ接続の解除を示すポリシー・コントロール・リクエスト・メッセージは宛先ＰＣＲＦ情報を搬送する。これにより、ポリシー・コントロール・リクエスト・メッセージはＰＣＲＦ制御エンティティを通過しない。ユーザからデータ・ネットワークへのデータ接続が解除された後、ＰＣＲＦ制御エンティティはデータ接続と該データ接続を提供するＰＣＲＦとの間のマッピング関係を保持したままである。ユーザが再度データ・ネットワークにアクセスすると、データ接続のセットアップを示すポリシー・コントロール・リクエスト・メッセージがＰＣＲＦ制御エンティティに送信される。ＰＣＲＦ制御エンティティはデータ接続に対応する予め記憶されているＰＣＲＦ情報をリターンする。クライアントは宛先ＰＣＲＦとして該ＰＣＲＦを使用し、データ接続のセットアップを示すポリシー・リクエスト・メッセージを送信する。しかしながら、該ＰＣＲＦが失敗すると、データ接続に対応するポリシー・コントロール・セッションをセットアップすることはできない。
【発明の概要】
【発明が解決しようとする課題】
【０００６】
最初に、クライアントがＰＣＣサーバに接続された後、ＰＣＲＦ制御エンティティはデータ接続と該データ接続を提供するＰＣＣサーバとの間のマッピング関係を記憶する。ユーザ・ハンドオーバ(handover)の間に、新しいクライアントは先のＰＣＣサーバとのポリシー・コントロール・セッションをセットアップする必要がある。新しいクライアントとＰＣＣサーバとの間のポリシー・コントロール・セッションのセットアップが失敗した場合、予め記憶されているデータ接続と該データ接続を提供するＰＣＣサーバとの間のマッピング関係をＰＣＲＦ制御エンティティがどのように扱うかについて従来技術は示していない。
【課題を解決するための手段】
【０００７】
本発明は、データ接続と該データ接続を提供するＰＣＲＦとの間のマッピング関係を制御するＰＣＲＦ制御方法、制御ネットワーク・エレメント、ネットワーク・システムを提供する。
【０００８】
本発明の第１の態様によるＰＣＲＦ制御方法は、データ接続に対応するポリシー・コントロール・セッションについての情報を取得し、前記ポリシー・コントロール・セッションについての情報はポリシー・コントロール・セッションの解除についての情報もしくはポリシー・コントロール・セッションのセットアップの結果についての情報を含み、前記データ接続に対応するポリシー・コントロール・セッションについての情報にしたがってデータ接続とポリシーおよび課金ルール機能（ＰＣＲＦ）との間のマッピング関係を制御する。
【０００９】
本発明の第２の態様による制御ネットワーク・エレメントは、データ接続に対応するポリシー・コントロール・セッションについての情報を取得するために適応されているポリシー・コントロール・セッション情報取得ユニットと、前記データ接続に対応するポリシー・コントロール・セッションについての情報にしたがって、該データ接続とポリシーおよび課金ルール機能（ＰＣＲＦ）との間のマッピング関係を制御するために適応されている制御ユニットと、を備える。前記情報は、ポリシー・コントロール・セッションの解除についての情報、もしくは、該ポリシー・コントロール・セッションのセットアップの結果についての情報、を含む。
【００１０】
本発明の第３の態様によるネットワーク・システムの第１の実施形態は、データ接続に対応するポリシー・コントロール・セッションの解除についての情報を制御ネットワーク・エレメントに送信するために適応されているネットワーク・ノードと、前記データ接続に対応するポリシー・コントロール・セッションの解除についての情報をネットワーク・ノードから受信し、前記データ接続に対応するポリシー・コントロール・セッションについての受信した情報にしたがって、前記データ接続と該データ接続を提供するポリシーおよび課金ルール機能との間の予め記憶されているマッピング関係を制御する、ために適応されている前記制御ネットワーク・エレメントと、を含む。
【００１１】
前記ネットワーク・システムの第２の実施形態は、ユーザが利用可能なポリシーおよび課金ルール機能についての情報を取得し、データ接続に対応するポリシー・コントロール・セッションをセットアップすることを必要とするネットワーク・ノードに該情報を送信し、前記データ接続に対応するポリシー・コントロール・セッションのセットアップの結果についての情報をネットワーク・ノードから受信し、前記データ接続に対応するポリシー・コントロール・セッションのセットアップの結果についての情報にしたがって、前記データ接続とポリシーおよび課金ルール機能との間のマッピング関係を制御する、ために適応されている制御ネットワーク・エレメントと、前記データ接続に対応するポリシー・コントロール・セッションのセットアップのリクエストを利用可能なポリシーおよび課金ルール機能に送信し、前記データ接続に対応するポリシー・コントロール・セッションのセットアップが成功したか否かを示すレスポンスを利用可能なポリシーおよび課金ルール機能から受信し、前記レスポンスにしたがって、前記データ接続に対応するポリシー・コントロール・セッションのセットアップの結果についての情報を制御ネットワーク・エレメントに送信する、ために適応されている前記ネットワーク・ノードと、を含む。
【００１２】
前記ネットワーク・システムの第３の実施形態は、ユーザに利用可能なポリシーおよび課金ルール機能についての情報を取得し、データ接続に対応するポリシー・コントロール・セッションをセットアップすることを必要とするネットワーク・ノードに該情報を送信し、前記データ接続に対応するポリシー・コントロール・セッションのセットアップの結果についての情報を利用可能なポリシーおよび課金ルール機能から受信し、該データ接続に対応するポリシー・コントロール・セッションのセットアップの結果についての情報にしたがって、該データ接続と利用可能なポリシーおよび課金ルール機能との間のマッピング関係を制御する、ために適応されている制御ネットワーク・エレメントと、前記データ接続に対応するポリシー・コントロール・セッションのセットアップのリクエストを利用可能なポリシーおよび課金ルール機能に送信する、ために適応されている前記ネットワーク・ノードと、前記データ接続に対応するポリシー・コントロール・セッションのセットアップのリクエストを受信し、該データ接続に対応するポリシー・コントロール・セッションのセットアップの結果についての情報を前記制御ネットワーク・エレメントに送信する、ように適応されている前記利用可能なポリシーおよび課金ルール機能と、を含む。
【発明の効果】
【００１３】
本発明は以下の利益を有する。データ接続の解除時に、制御ネットワーク・エレメントは、該データ接続に対応するポリシー・コントロール・セッションの解除についての情報を取得し、該データ接続に対応するポリシー・コントロール・セッションの解除についての取得された情報にしたがって、該データ接続と該データ接続を提供するＰＣＲＦとの間の予め記憶されているマッピング関係を制御することができる。したがって、データ接続の解除が成功した後、制御ネットワーク・エレメントは、もはや、データ接続と該データ接続を提供するＰＣＲＦとの間のマッピング関係を記憶しない。
【００１４】
ユーザが利用可能なＰＣＲＦについての情報は、データ接続に対応するポリシー・コントロール・セッションをセットアップすることを必要とするネットワーク・ノードに送信される。該データ接続とユーザが利用可能なＰＣＲＦとの間のマッピング関係は、該データ接続に対応するポリシー・コントロール・セッションのセットアップの結果についての情報にしたがって、制御される。したがって、制御ネットワーク・エレメントが転送ノードとして働く場合、該制御ネットワーク・エレメントはデータ接続とユーザが利用可能なＰＣＲＦとの間のマッピング関係を該データ接続に対応するポリシー・コントロール・セッションのセットアップの結果についての情報にしたがって制御することができ、データ接続と該データ接続を提供するＰＣＲＦとの間の正しいマッピング関係を記憶することができる。
【００１５】
データ接続に対応するポリシー・コントロール・セッションの該データ接続を提供するＰＣＲＦとのセットアップの失敗を示す情報が受信された後、データ接続と該データ接続を提供するＰＣＲＦとの間の予め記憶されているマッピング関係が削除される。したがって、制御ネットワーク・エレメントは、もはや、マッピング関係を記憶しない。データ接続のセットアップのための次のポリシー・コントロール・リクエストを受信した場合、制御ネットワーク・エレメントはポリシー・コントロール・セッションのセットアップの失敗を含むＰＣＲＦについての情報をクライアントに送信しない。すなわち、データ接続に対応するポリシー・コントロール・セッションをセットアップすることはできない。
【図面の簡単な説明】
【００１６】
【図１】従来技術におけるＰＣＣ機能を有するネットワーク・アーキテクチャを示す。
【図２】本発明の第１の実施形態におけるＰＣＲＦ制御方法のフローチャートである。
【図３】本発明の第２の実施形態におけるＰＣＲＦ制御方法のフローチャートである。
【図４】本発明の第３の実施形態におけるＰＣＲＦ制御方法のフローチャートである。
【図５】本発明の第４の実施形態におけるＰＣＲＦ制御方法のフローチャートである。
【図６】本発明の第５の実施形態におけるＰＣＲＦ制御方法のフローチャートである。
【図７】本発明の第６の実施形態におけるＰＣＲＦ制御方法のフローチャートである。
【図８】本発明の第７の実施形態におけるＰＣＲＦ制御方法のフローチャートである。
【図９】本発明の第８の実施形態におけるＰＣＲＦ制御方法のフローチャートである。
【図１０】本発明の第９の実施形態における制御ネットワーク・エレメントの構成を示す。
【図１１】本発明の第１０の実施形態における制御ネットワーク・エレメントの構成を示す。
【図１２】本発明の第１１の実施形態における制御ネットワーク・エレメントの構成を示す。
【発明を実施するための形態】
【００１７】
本発明の実施形態はＰＣＲＦ制御方法を提供する。該ＰＣＲＦ制御方法はデータ接続に対応するポリシー・コントロール・セッションの解除についての情報を受信し、データ接続に対応するポリシー・コントロール・セッションの解除についての受信した情報にしたがって、データ接続と該データ接続を提供するＰＣＲＦとの間の予め記憶したマッピング関係を制御する。本方法は制御ネットワーク・エレメントによって実行される。制御ネットワーク・エレメントはＰＣＲＦ制御エンティティであってよい。データ接続に対応するポリシー・コントロール・セッションの解除についての情報は、ポリシー・コントロール・セッションの解除に成功したか否かを示す情報であってもよいし、ポリシー・コントロール・セッションの解除を示す情報であってもよい。
【００１８】
図２は、本発明の第１の実施形態において提供されるＰＣＲＦ制御方法を示す。本方法は、データ接続と該データ接続を提供するＰＣＲＦとの間のマッピング関係をセットアップするためにＰＣＲＦ制御エンティティに適用することができる。当該方法は、以下のステップを含む。
ステップ２０１：
クライアントは中継ノードにポリシー・コントロール・リクエストを送信する。ポリシー・コントロール・リクエストは、ユーザとデータ・ネットワークとの間のデータ接続に対応するポリシー・コントロール・セッションのセットアップを示す情報、ユーザ・アプリケーション情報およびユーザによってアクセスされるデータ・ネットワークについての情報を搬送する。
ステップ２０２：
中継ノードは、ポリシー・コントロール・リクエストの宛先ドメイン情報およびユーザ・アプリケーション情報にしたがって、ダイアメータ・ルーティング・テーブルを問い合わせ、ノード自身が中継ノードであることを知り、ルーティング・テーブル情報にしたがって、次のノードにポリシー・コントロール・リクエストを送出する。この実施形態の次のノードはＰＣＲＦ制御エンティティである。
ステップ２０３：
ＰＣＲＦ制御エンティティは、ユーザ・アプリケーション情報およびユーザによってアクセスされるデータ・ネットワークにしたがって、ダイアメータ・ルーティング・テーブルからユーザに利用可能なＰＣＲＦについての情報を取得し、中継ノードに転送指示を送信する。転送指示は、ユーザに利用可能なＰＣＲＦについての情報を搬送する。ユーザに利用可能なＰＣＲＦについての情報は少なくとも一つのＰＣＲＦについての情報であってよい。
ステップ２０４：
中継ノードは、宛先ＰＣＲＦとして利用可能なＰＣＲＦの一つを選択し、選択されたＰＣＲＦにポリシー・コントロール・リクエストを送信する。
ステップ２０５：
中継ノードは宛先ＰＣＲＦからポリシー・コントロール・レスポンスを受信する。
【００１９】
ポリシー・コントロール・レスポンスが、データ接続に対応するポリシー・コントロール・セッションのセットアップが成功したことを示す場合、データ接続を提供するＰＣＲＦとして該ＰＣＲＦを決定し、ステップ２０６を実行する。ポリシー・コントロール・レスポンスが、データ接続に対応するポリシー・コントロール・セッションのセットアップの失敗を示す場合、中継ノードは宛先ＰＣＲＦとして利用可能なＰＣＲＦの一つを再び選択する。データ接続に対応するポリシー・コントロール・セッションのセットアップの成功をレスポンスが示すまで、ステップ２０４〜２０５が繰り返され、データ接続に対応するポリシー・コントロール・セッションのセットアップの成功をレスポンスが示すと、ステップ２０６が実行される。失敗のタイプがプロトコルの失敗である場合、中継ノードはＰＣＲＦ制御エンティティにＰＣＲＦとのデータ接続に対応するポリシー・コントロール・セッションのセットアップの失敗を示す情報を送信することができる。ＰＣＲＦ制御エンティティは、ＰＣＲＦを一時的な障害ＰＣＲＦとみなし、予め設定された期間の間、ＰＣＲＦを利用不能と設定する。
【００２０】
ステップ２０６：
中継ノードは、ＰＣＲＦ制御エンティティにＰＣＲＦ制御メッセージを送信する。該メッセージはデータ接続についての情報、データ接続を提供するＰＣＲＦについての情報、データ接続と該データ接続を提供するＰＣＲＦとの間のマッピング関係を搬送する。
ステップ２０７：
中継ノードは、データ接続のセットアップが成功したことを示すポリシー・コントロール・レスポンスをクライアントに送信する。
【００２１】
以上のステップはデータ接続のセットアップの初期プロセスである。データ接続のセットアップの初期プロセスに加えて、クライアントによって送信されるポリシー・コントロール・リクエストは宛先ＰＣＲＦについての情報を搬送してもよい。クライアントによって送信されるポリシー・コントロール・リクエストが宛先ＰＣＲＦについての情報を搬送しない場合、中継ノードはＰＣＲＦ制御エンティティにポリシー・コントロール・リクエストを送信する。ＰＣＲＦ制御エンティティは、データ接続と該データ接続を提供するＰＣＲＦとの間の予め記憶されているマッピング関係にしたがって、宛先ＰＣＲＦについての情報を取得し、宛先ＰＣＲＦの情報を搬送する転送指示を中継ノードに送信する。中継ノードはポリシー・コントロール・リクエストをＰＣＲＦに送信する。成功を示すポリシー・コントロール・リクエストを宛先ＰＣＲＦから受信した後、中継ノードは成功を示すポリシー・コントロール・レスポンスをクライアントに送信する。失敗を示すポリシー・コントロール・レスポンスを宛先ＰＣＲＦから受信した後、失敗のタイプがプロトコルの失敗である場合、中継ノードは、失敗を示すポリシー・コントロール・レスポンスの失敗原因値にしたがってポリシー・コントロール・リクエストを再送するか否かを判断する。
失敗の原因が「ＰＣＲＦビジー(busy)」であれば、中継ノードは宛先ＰＣＲＦにポリシー・コントロール・リクエストを再び送信する必要がある。最終的に受信したすべてのポリシー・コントロール・レスポンス・メッセージが失敗を示すか、もしくは、失敗のタイプのすべてがプロトコルの失敗である場合、中継ノードはクライアントに失敗を示すポリシー・コントロール・レスポンスを送信する。この場合、クライアントもしくは中継ノードは、ＰＣＲＦ制御エンティティに宛先ＰＣＲＦとの接続の失敗についての情報を送信してもよい。ＰＣＲＦ制御エンティティは、データ接続と宛先ＰＣＲＦとの間の予め記憶されているマッピング関係を削除し、クライアントが再びセッションを開始する際に、データ接続と該データ接続を提供するＰＣＲＦとの間のマッピング関係が再び生成されるのを待つようにしてもよい。
【００２２】
図３は、本発明の第２の実施形態において提供されるＰＣＲＦ制御方法を示す。本方法は、データ接続と該データ接続を提供するＰＣＲＦとの間のマッピング関係をセットアップするために、ＰＣＲＦ制御エンティティに適用することができる。当該方法は、以下のステップを含む。
ステップ３０１：
クライアントは、ＰＣＲＦ制御エンティティにデータ接続に対応するポリシー・コントロール・セッションのセットアップを示すポリシー・コントロール・リクエストを送信する。
ステップ３０２：
ＰＣＲＦ制御エンティティは、ポリシー・コントロール・リクエストの宛先ドメイン情報およびユーザ・アプリケーション情報にしたがって、利用可能なＰＣＲＦについての情報を取得し、負荷(load)バランス・ポリシーにしたがって、宛先ＰＣＲＦとしてＰＣＲＦの一つを選択し、宛先ＰＣＲＦにポリシー・コントロール・リクエストを送出する。
ステップ３０３：
ＰＣＲＦ制御エンティティはポリシー・コントロール・レスポンスをＰＣＲＦから受信する。
【００２３】
ポリシー・コントロール・レスポンスがポリシー・コントロール・セッションのセットアップの成功を示す場合、前述のＰＣＲＦはデータ接続を提供するＰＣＲＦであり、データ接続と該データ接続を提供するＰＣＲＦとの間のマッピング関係がセットアップされ、ステップ３０４が実行される。ポリシー・コントロール・レスポンスがポリシー・コントロール・セッションのセットアップの失敗を示す場合、ＰＣＲＦ制御エンティティは宛先ＰＣＲＦとして利用可能なＰＣＲＦの一つを再び選択し、ポリシー・コントロール・セッションのセットアップの成功を示すポリシー・コントロール・レスポンスが受信されるまで、ステップ３０２〜３０３が繰り返される。ポリシー・コントロール・セッションのセットアップの成功を示すポリシー・コントロール・レスポンスが受信されると、データ接続と該データ接続を提供するＰＣＲＦとの間のマッピング関係がセットアップされ、ステップ３０４が実行される。失敗のタイプがプロトコルの失敗である場合、ＰＣＲＦ制御エンティティはＰＣＲＦを一時的な障害ＰＣＲＦとみなし、予め設定された期間の間、ＰＣＲＦを利用不能と設定してもよい。
【００２４】
ステップ３０４：
ＰＣＲＦ制御エンティティは、ポリシー・コントロール・セッションのセットアップの成功を示すポリシー・コントロール・レスポンスをクライアントに送信する。
【００２５】
前述のステップは、ポリシー・コントロール・セッションのセットアップの初期プロセスである。データ接続のセットアップの初期プロセスに加えて、クライアントによって送信されるポリシー・コントロール・リクエストは宛先ＰＣＲＦについての情報を搬送してもよい。クライアントによって送信されるポリシー・コントロール・リクエストが宛先ＰＣＲＦについての情報を搬送しない場合、ＰＣＲＦ制御エンティティは、データ接続と該データ接続を提供するＰＣＲＦとの間の予め記憶されているマッピング関係にしたがって、宛先ＰＣＲＦについての情報を取得し、宛先ＰＣＲＦにポリシー・コントロール・リクエストを送出する。成功を示すポリシー・コントロール・レスポンスを宛先ＰＣＲＦから受信した後、ＰＣＲＦ制御エンティティは成功を示すポリシー・コントロール・レスポンスをクライアントに送信する。失敗を示すポリシー・コントロール・レスポンスを宛先ＰＣＲＦから受信した後、失敗のタイプがプロトコルの失敗である場合、ＰＣＲＦ制御エンティティはポリシー・コントロール・リクエストを再び送信するか否かを判断する。失敗の原因が「ＰＣＲＦビジー」である場合、ＰＣＲＦ制御エンティティは宛先ＰＣＲＦにポリシー・コントロール・リクエストを再び送信する必要がある。最終的に受信したすべてのポリシー・コントロール・レスポンス・メッセージが失敗を示すか、もしくは、失敗のタイプのすべてがプロトコルの失敗である場合、ＰＣＲＦ制御エンティティはクライアントに失敗を示すポリシー・コントロール・レスポンスを送信する。この場合、ＰＣＲＦ制御エンティティは、データ接続と宛先ＰＣＲＦとの間の予め記憶されているマッピング関係を削除し、クライアントが再びセッションを開始する際に、データ接続と該データ接続を提供するＰＣＲＦとの間のマッピング関係が再び生成されるのを待つようにしてもよい。
【００２６】
図４は、本発明の第３の実施形態において提供されるＰＣＲＦ制御方法を示す。本方法は、データ接続と該データ接続を提供するＰＣＲＦとの間のマッピング関係をセットアップするためにＰＣＲＦ制御エンティティに適用することができる。当該方法は、以下のステップを含む。
ステップ４０１：
クライアントは、データ接続に対応するポリシー・コントロール・セッションのセットアップを示すポリシー・コントロール・リクエストをＰＣＲＦ制御エンティティに送信する。
ステップ４０２：
ＰＣＲＦ制御エンティティは、ポリシー・コントロール・リクエストの宛先ドメイン情報およびユーザ・アプリケーション情報にしたがって、利用可能なＰＣＲＦについての情報を取得し、利用可能なＰＣＲＦについての情報を搬送する転送指示をクライアントに送信する。利用可能なＰＣＲＦについての情報は少なくとも一つのＰＣＲＦについての情報であってよい。
ステップ４０３：
クライアントは宛先ＰＣＲＦとして利用可能なＰＣＲＦの一つを選択し、ユーザ・データ接続に対応するポリシー・コントロール・セッションのセットアップを示すポリシー・コントロール・リクエストを宛先ＰＣＲＦに送信する。
ステップ４０４：
クライアントは、宛先ＰＣＲＦからポリシー・コントロール・レスポンスを受信する。
【００２７】
ポリシー・コントロール・レスポンスがポリシー・コントロール・セッションのセットアップの成功を示す場合、該ＰＣＲＦはデータ接続を提供するＰＣＲＦとして決定され、ステップ４０５が実行される。ポリシー・コントロール・レスポンスがポリシー・コントロール・セッションのセットアップの失敗を示す場合、クライアントは宛先ＰＣＲＦとして利用可能なＰＣＲＦの一つを選択し、ポリシー・コントロール・セッションのセットアップの成功を示すポリシー・コントロール・レスポンスが受信されるまで、ステップ４０３〜４０４が繰り返される。ポリシー・コントロール・セッションのセットアップの成功を示すポリシー・コントロール・レスポンスが受信されると、ステップ４０５が実行される。ポリシー・コントロール・レスポンスがＰＣＲＦとのポリシー・コントロール・セッションのセットアップの失敗を示す場合、クライアントはＰＣＲＦ制御エンティティにＰＣＲＦ制御メッセージを送信する。メッセージは、ＰＣＲＦとのポリシー・コントロール・セッションのセットアップの失敗についての情報を搬送する。ＰＣＲＦ制御エンティティはＰＣＲＦを障害ＰＣＲＦとみなし、予め設定された期間の間、ＰＣＲＦを利用不能と設定する。
【００２８】
ステップ４０５：
クライアントはＰＣＲＦ制御エンティティにＰＣＲＦ制御メッセージを送信する。
【００２９】
該メッセージはデータ接続と該データ接続を提供するＰＣＲＦとの間のマッピング関係を搬送する。該データ接続はユーザとデータ・ネットワークとの間に存在する。
【００３０】
前述のステップは最初のデータ接続に対応するポリシー・コントロール・セッションのセットアップのプロセスである。データ接続のセットアップの初期プロセスに加えて、クライアントによって送信されるポリシー・コントロール・リクエストは宛先ＰＣＲＦについての情報を搬送してもよい。クライアントによって送信されるポリシー・コントロール・リクエストが宛先ＰＣＲＦについての情報を搬送しない場合、ポリシー・コントロール・リクエストは確実にＰＣＲＦ制御エンティティを通過する。ＰＣＲＦ制御エンティティが、データ接続（該データ接続はユーザとデータ・ネットワークとの間に存在する）とＰＣＲＦとの間の予め記憶されているマッピング関係にしたがって、宛先ＰＣＲＦについての情報を取得し、該情報をクライアントに送信する。クライアントは、宛先ＰＣＲＦにポリシー・コントロール・リクエストを送信する。失敗を示すポリシー・コントロール・レスポンスを宛先ＰＣＲＦから受信した後、クライアントはポリシー・コントロール・リクエストを再び送信するか否かを判断する。失敗の原因が「ＰＣＲＦビジー」である場合、クライアントは宛先ＰＣＲＦにポリシー・コントロール・リクエストを再び送信する必要がある。最終的に受信したすべてのポリシー・コントロール・レスポンス・メッセージが失敗を示す場合、クライアントはＰＣＲＦ制御エンティティに宛先ＰＣＲＦとの接続の失敗についての情報を送信してもよい。ＰＣＲＦ制御エンティティは、データ接続と宛先ＰＣＲＦとの間の予め記憶されているマッピング関係を削除し、クライアントが再びセッションを開始する際に、データ接続と該データ接続を提供するＰＣＲＦとの間のマッピング関係が再び生成されるのを待つようにしてもよい。
【００３１】
図５は本発明の第４の実施形態において提供されるＰＣＲＦ制御方法を示す。本方法は、データ接続と該データ接続を提供するＰＣＲＦとの間のマッピング関係をセットアップするためにＰＣＲＦ制御エンティティに適用することができる。当該方法は以下のステップを含む。
ステップ５０１：
クライアントは、中継ノードに、データ接続に対応するポリシー・コントロール・セッションのセットアップを示すポリシー・コントロール・リクエストを送信する。
ステップ５０２：
中継ノードは、ポリシー・コントロール・リクエストの宛先ドメイン情報およびユーザ・アプリケーション情報にしたがって、ダイアメータ・プロトコル・ルーティング・テーブルを問い合わせて、ノード自身が中継ノードであることを知り、ルーティング・テーブル情報にしたがって、次のノードにポリシー・コントロール・リクエストを送出する。本実施形態において、次のノードはＰＣＲＦ制御エンティティである。
ステップ５０３：
ＰＣＲＦ制御エンティティはユーザ・アプリケーション情報およびユーザによってアクセスされるデータ・ネットワークにしたがって、ダイアメータ・ルーティング・テーブルからユーザが利用可能なＰＣＲＦについての情報を取得し、データ接続とＰＣＲＦ１との間のマッピング関係をセットアップするために中継ノードに転送指示を送信する。（転送指示は利用可能なＰＣＲＦ１についての情報を搬送する。）
ステップ５０４：
中継ノードは利用可能なＰＣＲＦ１にデータ接続に対応するポリシー・コントロール・セッションのセットアップを示すポリシー・コントロール・リクエストを送信する。
ステップ５０５：
ＰＣＲＦ１は中継ノードにポリシー・コントロール・セッションのセットアップの失敗を示すポリシー・コントロール・レスポンスを送信する。
ステップ５０６：
中継ノードはＰＣＲＦ制御エンティティにデータ接続に対応するポリシー・コントロール・セッションのセットアップの結果についての情報を送信する。ポリシー・コントロール・セッションのセットアップの結果についての情報がＰＣＲＦ１とのポリシー・コントロール・セッションのセットアップの失敗を示し、再選択指示を搬送する。
ステップ５０７：
ＰＣＲＦ制御エンティティはユーザ・アプリケーション情報およびユーザによってアクセスされるデータ・ネットワークにしたがって、ダイアメータ・ルーティング・テーブルからユーザが利用可能なＰＣＲＦについての情報を再び取得し、データ接続と再び取得されたＰＣＲＦとの間のマッピング関係をセットアップするために中継ノードに転送指示を送信し、データ接続とＰＣＲＦ１との間のマッピング関係を削除する。（転送指示はＰＣＲＦ２のような再び取得されたＰＣＲＦについての情報を搬送する。）
ステップ５０８：
中継ノードは利用可能なＰＣＲＦ２にデータ接続に対応するポリシー・コントロール・セッションのセットアップを示すポリシー・コントロール・リクエストを送信する。
ステップ５０９：
ＰＣＲＦ２は中継ノードにポリシー・コントロール・レスポンスを送信する。
ステップ５１０：
ポリシー・コントロール・レスポンスがポリシー・コントロール・セッションのセットアップの完了を示す場合、中継ノードはクライアントにポリシー・コントロール・レスポンスを送出する。ポリシー・コントロール・レスポンスがポリシー・コントロール・セッションのセットアップの失敗を示す場合、プロセスはステップ５０６に戻る。
【００３２】
図６は本発明の第５の実施形態において提供されるＰＣＲＦ制御方法を示す。本方法は、データ接続に対応するポリシー・コントロール・セッションの削除に適用することができる。当該方法は以下のステップを含む。
ステップ６０１：
クライアントは中継ノードにデータ接続に対応するポリシー・コントロール・セッションの解除を示すポリシー・コントロール・リクエストを送信する。
ステップ６０２：
ポリシー・コントロール・リクエストが宛先ＰＣＲＦについての情報を搬送する場合、中継ノードは、宛先ＰＣＲＦにデータ接続に対応するポリシー・コントロール・セッションの解除を示すポリシー・コントロール・リクエストを送出する。
ステップ６０３：
宛先ＰＣＲＦは、ポリシー・コントロール・セッションの解除が成功したか否かを示すポリシー・コントロール・レスポンスを中継ノードに送信する。
ステップ６０４：
中継ノードは、ポリシー・コントロール・セッションの解除が成功したか否かを示すＰＣＲＦ制御メッセージをＰＣＲＦ制御エンティティに送信する。
ステップ６０５：
ＰＣＲＦ制御エンティティがポリシー・コントロール・セッションの解除の成功を示す情報を受信した場合、ＰＣＲＦ制御エンティティは、データ接続と該データ接続を提供するＰＣＲＦとの間の予め記憶されているマッピング関係を削除する。ＰＣＲＦ制御エンティティがポリシー・コントロール・セッションの解除の失敗を示す情報を受信した場合、ＰＣＲＦ制御エンティティはデータ接続と該データ接続を提供するＰＣＲＦとの間の予め記憶されているマッピング関係を保持する。
ステップ６０６：
中継ノードは、クライアントにポリシー・コントロール・セッションの解除が成功したか否かを示すポリシー・コントロール・レスポンスを送信する。
【００３３】
ステップ６０１においてポリシー・コントロール・セッションの解除を示すポリシー・コントロール・リクエストが宛先ＰＣＲＦの情報を搬送しない場合、中継ノードはＰＣＲＦ制御エンティティにポリシー・コントロール・セッションの解除を示すポリシー・コントロール・リクエストを送信する。ＰＣＲＦ制御エンティティは、データ接続と該データ接続を提供するＰＣＲＦとの間の予め記憶されているマッピング関係にしたがって、宛先ＰＣＲＦについての情報を取得し、該情報を中継ノードに送信する。その後、ステップ６０２において、中継ノードは宛先ＰＣＲＦにポリシー・コントロール・セッションの解除を示すポリシー・コントロール・リクエストを送出する。
【００３４】
前述の実施形態におけるステップ６０４において、ポリシー・コントロール・レスポンスがポリシー・コントロール・セッションの解除の成功を示す場合、ポリシー・コントロール・セッションの解除の成功を示すＰＣＲＦ制御メッセージがＰＣＲＦ制御エンティティに送信されてもよい。ステップ６０５において、ポリシー・コントロール・セッションの解除の成功を示す情報を受信した後、ＰＣＲＦ制御エンティティはデータ接続と該データ接続を提供するＰＣＲＦとの間の予め記憶されているマッピング関係を削除する。
【００３５】
図７は本発明の第６の実施形態において提供されるＰＣＲＦ制御方法を示す。本方法は、データ接続に対応するポリシー・コントロール・セッションの削除に適用することができる。当該方法は以下のステップを含む。
ステップ７０１：
クライアントは、ＰＣＲＦ制御エンティティにデータ接続に対応するポリシー・コントロール・セッションの解除を示すポリシー・コントロール・リクエストを送信する。
ステップ７０２：
ポリシー・コントロール・リクエストが宛先ＰＣＲＦについての情報を搬送する場合、ＰＣＲＦ制御エンティティは宛先ＰＣＲＦにデータ接続に対応するポリシー・コントロール・セッションの解除を示すポリシー・コントロール・リクエストを送出する。
ステップ７０３：
宛先ＰＣＲＦは、ＰＣＲＦ制御エンティティに、データ接続に対応するポリシー・コントロール・セッションの解除が成功したか否かを示すポリシー・コントロール・レスポンスを送信する。
ステップ７０４：
ＰＣＲＦ制御エンティティがポリシー・コントロール・セッションの解除の成功を示す情報を受信した場合、ＰＣＲＦ制御エンティティはデータ接続と該データ接続を提供するＰＣＲＦとの間の予め記憶されているマッピング関係を削除する。ＰＣＲＦ制御エンティティがポリシー・コントロール・セッションの解除の失敗を示す情報を受信した場合、ＰＣＲＦ制御エンティティはデータ接続と該データ接続を提供するＰＣＲＦとの間の予め記憶されているマッピング関係を保持する。
ステップ７０５：
ＰＣＲＦ制御エンティティは、ポリシー・コントロール・セッションの解除が成功したか否かを示すポリシー・コントロール・レスポンスをクライアントに送信する。
【００３６】
ステップ７０３において、宛先ＰＣＲＦからＰＣＲＦ制御エンティティによって受信されるポリシー・コントロール・レスポンスがポリシー・コントロール・セッションの失敗を示す場合、失敗のタイプがプロトコルの失敗であれば、ＰＣＲＦ制御エンティティは、ポリシー・コントロール・セッションの解除を示すポリシー・コントロール・リクエストの送信を宛先ＰＣＲＦに再び試みてもよい。最後のリクエストが失敗した場合、もしくは、失敗のタイプがプロトコルの失敗でない場合、ＰＣＲＦ制御エンティティはデータ接続と該データ接続を提供するＰＣＲＦとの間の予め記憶されているマッピング関係を保持してもよい。ステップ７０１においてデータ接続の解除を示すポリシー・コントロール・リクエストが宛先ＰＣＲＦについての情報を搬送しない場合、ＰＣＲＦ制御エンティティはデータ接続と該データ接続を提供するＰＣＲＦとの間の予め記憶されているマッピング関係にしたがって、宛先ＰＣＲＦについての情報を取得し（該データ接続はユーザとデータ・ネットワークとの間に存在する）、ステップ７０２において、ＰＣＲＦ制御エンティティは宛先ＰＣＲＦにデータ接続の解除を示すポリシー・コントロール・リクエストを送出する。
【００３７】
図８は本発明の第７の実施形態において提供されるＰＣＲＦ制御方法を示す。本方法は、データ接続に対応するポリシー・コントロール・セッションの削除に適用することができる。当該方法は以下のステップを含む。
ステップ８０１：
クライアントは、宛先ＰＣＲＦにデータ接続に対応するポリシー・コントロール・セッションの解除を示すポリシー・コントロール・リクエストを送信する。
ステップ８０２：
宛先ＰＣＲＦは、ポリシー・コントロール・セッションの解除が成功したか否かを示すポリシー・コントロール・レスポンスをクライアントに送信する。
ステップ８０３：
クライアントは、ポリシー・コントロール・セッションの解除が成功したか否かを示すＰＣＲＦ制御メッセージをＰＣＲＦ制御エンティティに送信する。
ステップ８０４：
ＰＣＲＦ制御エンティティがポリシー・コントロール・セッションの解除の成功を示す情報を受信した場合、ＰＣＲＦ制御エンティティはデータ接続と該データ接続を提供するＰＣＲＦとの間の予め記憶されているマッピング関係を削除する。ＰＣＲＦ制御エンティティがポリシー・コントロール・セッションの解除の失敗を示す情報を受信した場合、データ接続と該データ接続を提供するＰＣＲＦとの間の予め記憶されているマッピング関係を保持する。
【００３８】
前述の実施形態のステップ８０３において、ポリシー・コントロール・レスポンスがポリシー・コントロール・セッションの解除の成功を示す場合、ポリシー・コントロール・セッションの解除を示すＰＣＲＦ制御メッセージをＰＣＲＦ制御エンティティに送信してもよい。ステップ８０４において、ポリシー・コントロール・セッションの解除の成功を示す情報を受信した場合、ＰＣＲＦ制御エンティティはデータ接続と該データ接続を提供するＰＣＲＦとの間の予め記憶されているマッピング関係を削除する。
【００３９】
図９は本発明の第８の実施形態において提供されるＰＣＲＦ制御方法を示す。本方法は、データ接続に対応するポリシー・コントロール・セッションの削除に適用することができる。当該方法は以下のステップを含む。
ステップ９０１〜９０２：
ＰＣＲＦはデータ接続に対応するポリシー・コントロール・セッションを削除する必要があり、中継ノードを介してクライアントにポリシー・コントロール・リクエストを送信する。中継ノードはリクエストを記録する。
ステップ９０３：
クライアントは中継ノードにポリシー・コントロール・レスポンスを送信する。レスポンスは、データ接続に対応するポリシー・コントロール・セッションの削除が成功したか否かを示す。
【００４０】
クライアントがデータ接続に対応するポリシー・コントロール・セッションの削除に成功した場合、クライアントはＰＣＲＦ制御エンティティにＰＣＲＦ制御メッセージを送信する。該メッセージはポリシー・コントロール・セッションの解除の成功を示す。この場合、ステップ９０４を省略してもよい。
【００４１】
クライアントがデータ接続に対応するポリシー・コントロール・セッションの削除に失敗した場合、ステップ９０４を実行する必要がある。
【００４２】
ステップ９０４：
中継ノードはポリシー・コントロール・レスポンスとポリシー・コントロール・リクエストとを突き合わせる(match)。ポリシー・コントロール・レスポンスがデータ接続に対応するポリシー・コントロール情報の削除の失敗を示す場合であって、失敗のタイプがプロトコルの失敗である場合、中継ノードは宛先ＰＣＲＦにポリシー・コントロール・リクエストを送信することを再び試みてもよい。最後のリクエストが失敗した場合、もしくは、失敗のタイプがプロトコルの失敗でない場合、ＰＣＲＦ制御エンティティに中継ノードによって送信されるＰＣＲＦ制御メッセージはデータ接続の解除の失敗についての情報を搬送する。ポリシー・コントロール・レスポンスがデータ接続に対応するポリシー・コントロール・セッションの削除の成功を示す場合、中継ノードによってＰＣＲＦ制御エンティティに送信されるＰＣＲＦ制御メッセージはポリシー・コントロール・セッションの解除の成功についての情報を搬送する。
ステップ９０５
中継ノードは宛先ＰＣＲＦにポリシー・コントロール・レスポンスを送信する。該レスポンスは、データ接続に対応するポリシー・コントロール・セッションの削除が成功したか否かを示す。
【００４３】
代替的に、本実施形態において、宛先ＰＣＲＦがデータ接続に対応するポリシー・コントロール・セッションの削除に成功したか否かを示すポリシー・コントロール・レスポンスを受信した後、ポリシー・コントロール・レスポンスがデータ接続に対応するポリシー・コントロール・セッションの削除の成功を示す場合、宛先ＰＣＲＦによってＰＣＲＦ制御エンティティに送信されるＰＣＲＦ制御メッセージはポリシー・コントロール・セッションの解除の成功を示す情報を搬送する。
【００４４】
当業者には、前述の実施形態のステップのすべてもしくは部分がプログラムによって指示されるハードウェアによって実行されてもよいことは自明である。プログラムはリード−オンリー・メモリ（ＲＯＭ）、磁気ディスク、コンパクト・ディスクのようなコンピュータ読取り可能記憶媒体に記憶されてもよい。
【００４５】
図１０に示されるように、本発明の第９の実施形態において提供される制御ネットワーク・エレメントは以下を含む。
●ユーザに利用可能なＰＣＲＦエンティティについての情報を取得するために適応されているＰＣＲＦ情報取得ユニット１００１
●データ接続に対応するポリシー・コントロール・セッションをセットアップすることを必要とするネットワーク・ノードに、取得されたＰＣＲＦ情報を送信するために適応されているＰＣＲＦ情報送信ユニット１００２
●ネットワーク・ノードもしくは利用可能なＰＣＲＦから、データ接続に対応するポリシー・コントロール・セッションのセットアップの結果についての情報を受信するために適応されているポリシー・コントロール・セッション・セットアップ結果受信ユニット１００３
●データ接続に対応するポリシー・コントロール・セッションのセットアップの結果についての情報にしたがって、データ接続と利用可能なＰＣＲＦとの間のマッピング関係を制御するために適応されている制御ユニット１００４
【００４６】
該制御ユニット１００４は、ポリシー・コントロール・セッションのセットアップの結果についての情報からポリシー・コントロール・セッションのセットアップが成功したＰＣＲＦとデータ接続との間のマッピング関係を取得し、該マッピング関係を記憶するように適応されている記憶ユニットを含む。
【００４７】
ＰＣＲＦ情報はＰＣＲＦについての情報である。制御ユニット１００４は、データ接続に対応するポリシー・コントロール・セッションのセットアップの結果についての情報がＰＣＲＦとのポリシー・コントロール・セッションのセットアップの失敗を示す場合、データ接続とＰＣＲＦとの間の予め記憶されているマッピング関係を削除するために適応されている削除ユニットを含む。
【００４８】
制御ネットワーク・エレメントはさらに以下を含む。
●所定期間の間、ポリシー・コントロール・セッションのセットアップに失敗したＰＣＲＦを利用不能と設定するために適応されている設定ユニット１００５
●データ接続に対応するポリシー・コントロール・セッションのセットアップの結果についての情報がＰＣＲＦの再選択の指示を搬送する場合、ユーザに利用可能なＰＣＲＦについての情報を再び取得し、ネットワーク・ノードに情報を送信するか、もしくは、データ接続に対応するポリシー・コントロール・セッションのセットアップのリクエストを再び取得されたＰＣＲＦに送信するために適応されている再選択ユニット１００６
【００４９】
図１１に示すように、本発明の第１０の実施形態において提供される他の制御ネットワーク・エレメントは以下を含む。
●データ接続に対応するポリシー・コントロール・セッションの解除についての情報を受信するために適応されているポリシー・コントロール・セッション解除情報受信ユニット１１０１
●データ接続に対応するポリシー・コントロール・セッションの解除についての受信した情報にしたがって、データ接続と該データ接続を提供するＰＣＲＦとの間の予め記憶されているマッピング関係を制御するために適応されている制御ユニット１１０２
【００５０】
制御ユニット１１０２は、データ接続に対応するポリシー・コントロール・セッションの解除についての情報がポリシー・コントロール・セッションの解除の成功を示す場合、データ接続と該データ接続を提供するＰＣＲＦとの間の予め記憶されているマッピング関係を削除するために適応されている。
【００５１】
図１２に示すように、本発明の第１１の実施形態において提供される他の制御ネットワーク・エレメントは以下を含む。
●ユーザとデータ接続を提供するＰＣＲＦとの間のデータ接続に対応するポリシー・コントロール・セッションのセットアップの失敗を示す情報を受信するように適応されている情報受信ユニット１２０１
●データ接続と該データ接続を提供するＰＣＲＦとの間の予め記憶されているマッピング関係を削除するように適応されている削除ユニット１２０２
【００５２】
本発明の第１２の実施形態において提供されるネットワーク・システムは以下を含む。
●データ接続に対応するポリシー・コントロール・セッションの解除が成功したか否かをチェックし、データ接続に対応するポリシー・コントロール・セッションの解除についての情報を制御ネットワーク・エレメントに送信するように適応されているネットワーク・ノード
●データ接続に対応するポリシー・コントロール・セッションの解除についての情報をネットワーク・ノードから受信し、データ接続に対応するポリシー・コントロール・セッションの解除についての受信した情報にしたがって、データ接続と該データ接続を提供するＰＣＲＦとの間の予め記憶されているマッピング関係を制御するように適応されている制御ネットワーク・エレメント
【００５３】
ネットワーク・ノードは中継ノード、クライアント、もしくはデータ接続を提供するＰＣＲＦである。
【００５４】
本発明の第１２の実施形態において提供されるネットワーク・システムは以下を含む。
●ユーザに利用可能なＰＣＲＦについての情報を取得し、データ接続に対応するポリシー・コントロール・セッションをセットアップすることを必要とするネットワーク・ノードに該情報を送信し、データ接続に対応するポリシー・コントロール・セッションのセットアップの結果についての情報をネットワーク・ノードから受信し、データ接続に対応するポリシー・コントロール・セッションのセットアップの結果についての情報にしたがって、データ接続と利用可能なＰＣＲＦとの間のマッピング関係を制御するように適応されている制御ネットワーク・エレメント
●データ接続に対応するポリシー・コントロール・セッションのセットアップのリクエストを利用可能なＰＣＲＦに送信し、データ接続に対応するポリシー・コントロール・セッションのセットアップが成功したか否かを示すレスポンスを利用可能なＰＣＲＦから受信し、レスポンスにしたがってデータ接続に対応するポリシー・コントロール・セッションのセットアップの結果についての情報を制御ネットワーク・エレメントに送信するように適応されているネットワーク・ノード
【００５５】
本発明の第１３の実施態様において提供されるネットワーク・システムは、以下を含む。
●ユーザに利用可能なＰＣＲＦについての情報を取得し、データ接続に対応するポリシー・コントロール・セッションをセットアップすることを必要とするネットワーク・ノードに該情報を送信し、データ接続に対応するポリシー・コントロール・セッションのセットアップの結果についての情報を利用可能なＰＣＲＦから受信し、データ接続に対応するポリシー・コントロール・セッションのセットアップの結果についての情報にしたがって、データ接続と利用可能なＰＣＲＦとの間のマッピング関係を制御するように適応されている制御ネットワーク・エレメント
●データ接続に対応するポリシー・コントロール・セッションのセットアップのリクエストを利用可能なＰＣＲＦに送信するように適応されているネットワーク・ノード
●リクエストを受信した後、データ接続に対応するポリシー・コントロール・セッションのセットアップが成功したか否かをチェックし、データ接続に対応するポリシー・コントロール・セッションのセットアップの結果についての情報を制御ネットワーク・エレメントに送信する利用可能なＰＣＲＦ
【００５６】
本発明の実施形態は以下の効果を有する。
１．ユーザとデータ・ネットワークとの間のデータ接続を解除するときに、ＰＣＲＦ制御エンティティは、データ接続に対応するポリシー・コントロール・セッションの解除が成功したか否かについての情報を取得し、データ接続に対応するポリシー・コントロール・セッションの解除が成功したか否かについての取得した情報にしたがってデータ接続を提供するＰＣＲＦとデータ接続との間のマッピング関係を制御することができる。したがって、データ接続の解除が成功した場合、ＰＣＲＦ制御エンティティは、データ接続と該データ接続を提供するＰＣＲＦとの間のマッピング関係をもはや記憶しない。
２．最初に、ユーザがデータ接続をセットアップする場合、データ接続に対応するポリシー・コントロール・セッションのセットアップが成功したか否かを示す情報を受信した後にだけ、ＰＣＲＦ制御エンティティはデータ接続とＰＣＲＦとの間のマッピング関係をセットアップする。これにより、データ接続とＰＣＲＦとの間の正しいマッピング関係を記憶することをＰＣＲＦ制御エンティティに保証する。
３．データ接続を提供するＰＣＲＦとのデータ接続に対応するポリシー・コントロール・セッションのセットアップの失敗を示す情報を受信した後、データ接続と該データ接続を提供するＰＣＲＦとの間の予め記憶されているマッピング関係を削除する。したがって、制御ネットワーク・エレメントはもはやマッピング関係を記憶しない。データ接続のセットアップの次のポリシー・コントロール・リクエストを受信した場合、制御ネットワーク・エレメントは、ポリシー・コントロール・セッションのセットアップの失敗を含むＰＣＲＦについての情報をクライアントに送信しない。その他の場合、データ接続に対応するポリシー・コントロール・セッションをセットアップすることはできない。
【００５７】
詳細には、上記は、本願発明のＰＣＲＦ制御方法、制御ネットワーク・エレメント、ネットワーク・システムである。本発明はいくつかの例示的な実施形態によって説明されるが、本発明はこれらの実施形態に限定されるものではない。
【手続補正２】
【補正対象書類名】特許請求の範囲
【補正対象項目名】全文
【補正方法】変更
【補正の内容】
【特許請求の範囲】
【請求項１】
データ接続に対応するポリシー・コントロール・セッションについての情報を取得し、
前記ポリシー・コントロール・セッションについての情報はポリシー・コントロール・セッションの解除についての情報もしくはポリシー・コントロール・セッションのセットアップの結果についての情報を含み、
前記データ接続に対応するポリシー・コントロール・セッションについての情報にしたがってデータ接続とポリシーおよび課金ルール機能（ＰＣＲＦ）との間のマッピング関係を制御する、
ポリシーおよび課金ルール機能制御方法。
【請求項２】
前記データ接続に対応するポリシー・コントロール・セッションについての情報を取得する前に、
ネットワーク・ノードによって、前記データ接続に対応するポリシー・コントロール・セッションの解除が成功したか否かについてチェックし、前記データ接続に対応するポリシー・コントロール・セッションの解除が成功した場合、ポリシー・コントロール・セッションの解除についての情報を制御ネットワーク・エレメントに送信し、
前記データ接続に対応するポリシー・コントロール・セッションについての情報が、
前記制御ネットワーク・エレメントがポリシー・コントロール・セッションの解除についての情報を受信する、
ことによって取得される、
ことをさらに含む、
請求項１に記載のポリシーおよび課金ルール機能制御方法。
【請求項３】
前記ネットワーク・ノードは中継ノードであり、
前記ネットワーク・ノードは、
前記中継ノードが、
前記データ接続に対応するポリシー・コントロール・セッションの解除が成功したか否かについての情報を受信し、
前記情報は、前記データ接続を提供するポリシーおよび課金ルール機能によって、もしくは、クライアントによって、送信され、
受信した該情報にしたがって前記データ接続に対応するポリシー・コントロール・セッションの解除が成功したか否かチェックする、
ことによって、前記データ接続に対応するポリシー・コントロール・セッションの解除が成功したか否かチェックする、
請求項２に記載のポリシーおよび課金ルール機能制御方法。
【請求項４】
前記ネットワーク・ノードはクライアントであり、
前記ネットワーク・ノードは、
前記クライアントが、
前記データ接続に対応するポリシー・コントロール・セッションの解除が成功したか否かについての情報を受信し、
前記情報は前記データ接続を提供するポリシーおよび課金ルール機能によって送信され、
受信した前記情報にしたがって前記データ接続に対応するポリシー・コントロール・セッションの解除が成功したか否かについてチェックする、
ことによって、
もしくは、
前記クライアントが、
前記データ接続に対応するポリシー・コントロール・セッションの解除のリクエストを、該データ接続を提供するポリシーおよび課金ルール機能から受信し、
前記データ接続に対応するポリシー・コントロール・セッションを処理し、
処理結果にしたがって、前記データ接続に対応するポリシー・コントロール・セッションの解除が成功したか否かをチェックする、
ことによって、
前記データ接続に対応するポリシー・コントロール・セッションの解除が成功したか否かについてチェックする、
請求項２に記載のポリシーおよび課金ルール機能制御方法。
【請求項５】
前記ネットワーク・ノードは、前記データ接続を提供するポリシーおよび課金ルール機能であり、
前記ネットワーク・ノードは、
前記データ接続を提供するポリシーおよび課金ルール機能が、
前記データ接続に対応するポリシー・コントロール・セッションの解除のリクエストをクライアントに送信し、
前記データ接続に対応するポリシー・コントロール・セッションの解除が成功したか否かについての情報を前記クライアントから受信し、
前記データ接続に対応するポリシー・コントロール・セッションの解除が成功したか否かをチェックする、
ことによって、
もしくは、
前記データ接続を提供するポリシーおよび課金ルール機能が、
該データ接続に対応するポリシー・コントロール・セッションの解除のリクエストを前記クライアントから受信し、
前記データ接続に対応するポリシー・コントロール・セッションを処理し、
処理結果にしたがって、前記データ接続に対応するポリシー・コントロール・セッションの解除が成功したか否かチェックする、
ことによって、
前記データ接続に対応するポリシー・コントロール・セッションの解除が成功したか否かチェックする、
請求項２に記載のポリシーおよび課金ルール機能制御方法。
【請求項６】
前記データ接続に対応するポリシー・コントロール・セッションの解除についての情報は、
制御ネットワーク・エレメントが前記ポリシー・コントロール・セッションの解除が成功したか否かについての情報を受信し、
前記情報は、前記データ接続を提供するポリシーおよび課金ルール機能、クライアント、もしくは、中継ノードによって送信される、
ことによって、取得される、
請求項１に記載のポリシーおよび課金ルール機能制御方法。
【請求項７】
前記データ接続とポリシーおよび課金ルール機能との間のマッピング関係は、
前記ポリシー・コントロール・セッションの解除についての情報が、該ポリシー・コントロール・セッションの解除を示す場合、前記データ接続と該データ接続を提供するポリシーおよび課金ルール機能との間の予め記憶されているマッピング関係を削除する、
ことによって、制御される、
請求項１に記載のポリシーおよび課金ルール機能制御方法。
【請求項８】
前記データ接続に対応するポリシー・コントロール・セッションのセットアップの結果についての情報が該データ接続に対応するポリシー・コントロール・セッションのセットアップの失敗についての情報であり、
前記データ接続とポリシーおよび課金ルール機能との間のマッピング関係は、
前記データ接続と該データ接続を提供するポリシーおよび課金ルール機能との間の予め記憶されているマッピング関係を削除する、
ことによって、制御される、
請求項１に記載のポリシーおよび課金ルール機能制御方法。
【請求項９】
データ接続に対応するポリシー・コントロール・セッションについての情報を取得するために適応されているポリシー・コントロール・セッション情報取得ユニットと、
前記データ接続に対応するポリシー・コントロール・セッションについての情報にしたがって、該データ接続とポリシーおよび課金ルール機能（ＰＣＲＦ）との間のマッピング関係を制御するために適応されている制御ユニットと、
を備え、
前記情報は、ポリシー・コントロール・セッションの解除についての情報、もしくは、該ポリシー・コントロール・セッションのセットアップの結果についての情報、を含む、
制御ネットワーク・エレメント。
【請求項１０】
前記制御ユニットは、ポリシー・コントロール・セッションの解除についての前記情報がポリシー・コントロール・セッションの解除を示す場合、前記データ接続と該データ接続を提供するポリシーおよび課金ルール機能との間の予め記憶されているマッピング関係を削除するために適応されている、
請求項９に記載の制御ネットワーク・エレメント。
【請求項１１】
データ接続に対応するポリシー・コントロール・セッションの解除についての情報を制御ネットワーク・エレメントに送信するために適応されているネットワーク・ノードと、
前記データ接続に対応するポリシー・コントロール・セッションの解除についての情報をネットワーク・ノードから受信し、前記データ接続に対応するポリシー・コントロール・セッションについての受信した情報にしたがって、前記データ接続と該データ接続を提供するポリシーおよび課金ルール機能との間の予め記憶されているマッピング関係を制御する、ために適応されている前記制御ネットワーク・エレメントと、
を含むネットワーク・システム。
【請求項１２】
前記ネットワーク・ノードは前記データ接続に対応するポリシー・コントロール・セッションの解除が成功したか否かについてチェックするためにさらに適応されている、請求項１１に記載のネットワーク・システム。
【請求項１３】
前記ネットワーク・ノードは、中継ノード、クライアント、もしくは、前記データ接続を提供するポリシーおよび課金ルール機能である、請求項１１または請求項１２に記載のネットワーク・システム。
【請求項１４】
前記制御ネットワーク・エレメントは、前記データ接続に対応するポリシー・コントロール・セッションの解除についての情報をネットワーク・ノードから受信し、前記ポリシー・コントロール・セッションの解除についての情報がポリシー・コントロール・セッションの解除を示す場合、前記データ接続と該データ接続を提供するポリシーおよび課金ルール機能との間の予め記憶されているマッピング関係を削除する、ために適応されている、請求項１１または請求項１２に記載のネットワーク・システム。
【国際調査報告】
2011502388.tif 000015
2011502388.tif 000016
2011502388.tif 000017
2011502388.tif 000018